(57)【要約】【課題】本発明の実施形態は、通信分野に関し、端末がシステムによって送信されるページングメッセージを正常に受信できることを保証するために、ページング最適化方法、装置およびシステムを開示する。【解決手段】具体的な構成は、コアネットワークノードによって送信される第１のページングメッセージを受信し、第１のページングメッセージは端末をページングするのに用いられ、また、第１のページングメッセージに応答して、拡張カバレッジ型の制御情報および／または拡張カバレッジ型の第２のページングメッセージを端末に送信する。本発明はページング最適化プロセスに用いられる。【選択図】図１
2019146240.tif 000002
【特許請求の範囲】
【請求項１】
コアネットワークノードによって送信される第１のページングメッセージを受信するステップであって、前記第１のページングメッセージは端末をページングするのに用いられる、ステップと、
前記第１のページングメッセージに応答して、拡張カバレッジ型の制御情報および／または拡張カバレッジ型の第２のページングメッセージを前記端末に送信するステップと、
を有する、ページング最適化方法。
【請求項２】
前記第１のページングメッセージは、前記端末のチャネル損失情報を含み、または、
前記第１のページングメッセージに応答して、拡張カバレッジ型の制御情報および／または拡張カバレッジ型の第２のページングメッセージを前記端末に送信する前記ステップの前に、前記方法は更に、
前記コアネットワークノードによって送信される前記端末のチャネル損失情報を受信するステップ、
を有する、請求項１に記載のページング最適化方法。
【請求項３】
コアネットワークノードによって送信される第１のページングメッセージを受信する前記ステップの前に、
前記端末によって送信されるチャネル損失情報を受信するステップと、
前記端末の前記チャネル損失情報を前記コアネットワークノードに送信するステップと、
を更に有する、請求項２に記載のページング最適化方法。
【請求項４】
前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するステップと、
前記端末の前記ＩＭＳＩまたは前記Ｓ−ＴＭＳＩを、前記端末の前記チャネル損失情報と関連付けて保存するステップと、
を更に有する、請求項１に記載のページング最適化方法。
【請求項５】
前記第１のページングメッセージに応答して、拡張カバレッジ型の制御情報および／または拡張カバレッジ型の第２のページングメッセージを前記端末に送信する前記ステップの前に、前記方法は更に、
前記端末のＩＭＳＩまたはＳ−ＴＭＳＩに従って、前記端末のチャネル損失情報が保存されていると決定するステップ、
を有する、請求項４に記載のページング最適化方法。
【請求項６】
前記第１のページングメッセージに応答して拡張カバレッジ型の制御情報および／または拡張カバレッジ型の第２のページングメッセージを前記端末に送信する前記ステップは、
前記端末の前記チャネル損失情報に従って、伝送パラメータを決定するステップと、
前記伝送パラメータに従って、前記拡張カバレッジ型の制御情報および／または前記拡張カバレッジ型の第２のページングメッセージを前記端末に送信するステップと、
を有する、請求項２乃至５のいずれか一項に記載のページング最適化方法。
【請求項７】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項１乃至６のいずれか一項に記載のページング最適化方法。
【請求項８】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項１乃至７のいずれか一項に記載のページング最適化方法。
【請求項９】
前記チャネル損失情報は、チャネル損失の値またはチャネル損失の値の範囲またはチャネル損失の値の範囲インデックスを含む、
請求項１乃至８のいずれか一項に記載のページング最適化方法。
【請求項１０】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項１乃至９のいずれか一項に記載のページング最適化方法。
【請求項１１】
端末の国際移動電話加入者識別番号（ＩＭＳＩ）または一時的移動電話加入者識別番号（Ｓ−ＴＭＳＩ）に従って、前記端末のチャネル損失情報が保存されていると決定するステップ、および、
前記チャネル損失情報を伝達する第１のページングメッセージをアクセスネットワークノードに送信するステップであって、それにより、前記アクセスネットワークノードが、前記第１のページングメッセージに従って、拡張カバレッジ型の制御情報および／または拡張カバレッジ型の第２のページングメッセージを前記端末に送信できるようにする、ステップ、または、
第１のページングメッセージと前記端末の前記チャネル損失情報とを前記アクセスネットワークノードに送信するステップであって、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにする、ステップ、
を有する、ページング最適化方法。
【請求項１２】
前記端末の前記ＩＭＳＩまたは前記Ｓ−ＴＭＳＩを前記アクセスネットワークノードに送信し、前記端末の前記チャネル損失情報を前記アクセスネットワークノードに送信するステップであって、それにより、前記アクセスネットワークデバイスが、前記端末の前記ＩＭＳＩまたは前記Ｓ−ＴＭＳＩを、前記端末の前記チャネル損失情報に関連付けて保存できるようにする、ステップ、
を更に有する、請求項１１に記載のページング最適化方法。
【請求項１３】
端末の国際移動電話加入者識別番号（ＩＭＳＩ）または一時的移動電話加入者識別番号（Ｓ−ＴＭＳＩ）に従って前記端末のチャネル損失情報が保存されていると決定する前記ステップの前に、前記方法は更に、
前記端末の前記チャネル損失情報を受信するステップと、
前記端末の前記チャネル損失情報を、前記端末の前記ＩＭＳＩまたは前記Ｓ−ＴＭＳＩに関連付けて保存するステップと、
を有する、請求項１１または１２に記載のページング最適化方法。
【請求項１４】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項１１乃至１３のいずれか一項に記載のページング最適化方法。
【請求項１５】
前記チャネル損失情報は、チャネル損失の値またはチャネル損失の値の範囲またはチャネル損失の値の範囲インデックスを含む、
請求項１１乃至１４のいずれか一項に記載のページング最適化方法。
【請求項１６】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項１１乃至１５のいずれか一項に記載のページング最適化方法。
【請求項１７】
端末とアクセスネットワークノードとの間のチャネル損失情報を決定するステップと、
前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定するステップと、
前記伝送パラメータに従って、前記アクセスネットワークノードによって送信された拡張カバレッジ型の制御情報および／または拡張カバレッジ型の第２のページングメッセージを受信するステップと、
を有する、ページング最適化方法。
【請求項１８】
前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定する前記ステップの前に、前記方法は更に、
前記チャネル損失情報が設定された条件を満たすと決定するステップであって、前記設定された条件は、前記チャネル損失の値が設定された閾値以上であることを含む、ステップ、
を有する、請求項１７に記載のページング最適化方法。
【請求項１９】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項１７または１８に記載のページング最適化方法。
【請求項２０】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号と、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項１７乃至１９のいずれか一項に記載のページング最適化方法。
【請求項２１】
前記チャネル損失情報は、前記チャネル損失の前記値または前記チャネル損失の前記値の範囲または前記チャネル損失の前記値の範囲インデックスを含む、
請求項１７乃至２０のいずれか一項に記載のページング最適化方法。
【請求項２２】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項１７乃至２１のいずれか一項に記載のページング最適化方法。
【請求項２３】
コアネットワークノードによって送信される第１のページングメッセージを受信するように構成される第１の受信ユニットであって、前記第１のページングメッセージは端末をページングするのに用いられる、第１の受信ユニットと、
前記第１のページングメッセージに応答して、拡張カバレッジ型の制御情報および／または拡張カバレッジ型の第２のページングメッセージを前記端末に送信するように構成される第１の送信ユニットと、
を備えるアクセスネットワークノード。
【請求項２４】
前記第１のページングメッセージは、前記端末のチャネル損失情報を含み、または、
前記アクセスネットワークノードは更に、
前記第１の送信ユニットが前記第１のページングメッセージに応答して拡張カバレッジ型の制御情報および／または拡張カバレッジ型の第２のページングメッセージを前記端末に送信する前に、前記コアネットワークノードによって送信される前記端末のチャネル損失情報を受信するように構成される第２の受信ユニット、
を備える、請求項２３に記載のアクセスネットワークノード。
【請求項２５】
前記第１の受信ユニットが前記コアネットワークノードによって送信される前記第１のページングメッセージを受信する前に、前記端末によって送信されるチャネル損失情報を受信するように構成される第３の受信ユニットと、
前記第３の受信ユニットによって受信された前記端末の前記チャネル損失情報を前記コアネットワークノードに送信するように構成される第２の送信ユニットと、
を更に備える、請求項２４に記載のアクセスネットワークノード。
【請求項２６】
前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するように構成される第４の受信ユニットと、
前記第４の受信ユニットによって受信された前記端末の前記ＩＭＳＩまたは前記Ｓ−ＴＭＳＩを、前記端末の前記チャネル損失情報と関連付けて保存するように構成される記憶部と、
を更に備える、請求項２３に記載のアクセスネットワークノード。
【請求項２７】
前記第１の送信ユニットが前記第１のページングメッセージに応答して拡張カバレッジ型の制御情報および／または拡張カバレッジ型の第２のページングメッセージを前記端末に送信する前に、前記端末のＩＭＳＩまたはＳ−ＴＭＳＩに従って、前記端末の前記チャネル損失情報が保存されていると決定するように構成される決定ユニット、
を更に備える、請求項２６に記載のアクセスネットワークノード。
【請求項２８】
前記第１の送信ユニットは、
前記端末の前記チャネル損失情報に従って伝送パラメータを決定するように構成される決定モジュールと、
前記決定モジュールによって決定された前記伝送パラメータに従って、前記拡張カバレッジ型の制御情報および／または前記拡張カバレッジ型の第２のページングメッセージを前記端末に送信するように構成される送信モジュールと、
を有する、請求項２３乃至２７のいずれか一項に記載のアクセスネットワークノード。
【請求項２９】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項２３乃至２８のいずれか一項に記載のアクセスネットワークノード。
【請求項３０】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項２３乃至２９のいずれか一項に記載のアクセスネットワークノード。
【請求項３１】
前記チャネル損失情報は、チャネル損失の値またはチャネル損失の値の範囲またはチャネル損失の値の範囲インデックスを含む、
請求項２３乃至３０のいずれか一項に記載のアクセスネットワークノード。
【請求項３２】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項２３乃至３１のいずれか一項に記載のアクセスネットワークノード。
【請求項３３】
端末の国際移動電話加入者識別番号（ＩＭＳＩ）または一時的移動電話加入者識別番号（Ｓ−ＴＭＳＩ）に従って、前記端末のチャネル損失情報が保存されていると決定するように構成される決定ユニット、および、
前記チャネル損失情報を伝達する第１のページングメッセージをアクセスネットワークノードに送信するように構成される第１の送信ユニットであって、それにより、前記アクセスネットワークノードが、前記第１のページングメッセージに従って、拡張カバレッジ型の制御情報および／または拡張カバレッジ型の第２のページングメッセージを前記端末に送信できるようにする、第１の送信ユニット、または、
第１のページングメッセージと前記端末の前記チャネル損失情報とを前記アクセスネットワークノードに送信するように構成される第２の送信ユニットであって、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにする、第２の送信ユニット、
を備えるコアネットワークノード。
【請求項３４】
前記端末の前記ＩＭＳＩまたは前記Ｓ−ＴＭＳＩを前記アクセスネットワークノードに送信し、前記端末の前記チャネル損失情報を前記アクセスネットワークノードに送信するように構成される第３の送信ユニットであって、それにより、前記アクセスネットワークデバイスが、前記端末の前記ＩＭＳＩまたは前記Ｓ−ＴＭＳＩを、前記端末の前記チャネル損失情報に関連付けて保存できるようにする、第３の送信ユニット、
を更に備える、請求項３３に記載のコアネットワークノード。
【請求項３５】
前記決定ユニットが端末の国際移動電話加入者識別番号（ＩＭＳＩ）または一時的移動電話加入者識別番号（Ｓ−ＴＭＳＩ）に従って前記端末のチャネル損失情報が保存されていると決定する前に、前記端末の前記チャネル損失情報を受信するように構成される受信ユニットと、
前記受信ユニットによって受信された前記端末の前記チャネル損失情報を、前記端末の前記ＩＭＳＩまたは前記Ｓ−ＴＭＳＩに関連付けて保存するように構成される記憶部と、
を更に備える、請求項３３または３４に記載のコアネットワークノード。
【請求項３６】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージが、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項３３乃至３５のいずれか一項に記載のコアネットワークノード。
【請求項３７】
前記チャネル損失情報は、チャネル損失の値またはチャネル損失の値の範囲またはチャネル損失の値の範囲インデックスを含む、
請求項３３乃至３６のいずれか一項に記載のコアネットワークノード。
【請求項３８】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項３３乃至３７のいずれか一項に記載のコアネットワークノード。
【請求項３９】
端末であって、
前記端末とアクセスネットワークノードとの間のチャネル損失情報を決定するように構成される第１の決定ユニットと、
前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定するように構成される送信・決定ユニットと、
前記送信・決定ユニットによって決定された前記伝送パラメータに従って、前記アクセスネットワークノードによって送信された拡張カバレッジ型の制御情報および／または拡張カバレッジ型の第２のページングメッセージを受信するように構成される受信ユニットと、
を備える端末。
【請求項４０】
前記送信・決定ユニットが前記チャネル損失情報を前記アクセスネットワークノードに送信し、前記国際移動電話加入者識別番号（ＩＭＳＩ）または前記一時的移動電話加入者識別番号（Ｓ−ＴＭＳＩ）を前記アクセスネットワークノードに送信し、前記チャネル損失情報に従って前記伝送パラメータを決定する前に、前記チャネル損失情報が設定された条件を満たすと決定するように構成される第２の決定ユニットであって、前記設定された条件は、前記チャネル損失の値が設定された閾値以上であることを含む、第２の決定ユニット、
を更に備える、請求項３９に記載の端末。
【請求項４１】
前記拡張カバレッジ型の制御情報は、以下の情報、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項３９または４０に記載の端末。
【請求項４２】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項３９乃至４１のいずれか一項に記載の端末。
【請求項４３】
前記チャネル損失情報は、前記チャネル損失の前記値または前記チャネル損失の前記値の範囲または前記チャネル損失の前記値の範囲インデックスを含む、
請求項３９乃至４２のいずれか一項に記載の端末。
【請求項４４】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項３９乃至４３のいずれか一項に記載の端末。
【請求項４５】
少なくとも１つのプロセッサ、受信部および送信部を備えるアクセスネットワークノードであって、
前記受信部は、コアネットワークノードによって送信される第１のページングメッセージを受信するように構成され、前記第１のページングメッセージは端末をページングするのに用いられ、
前記プロセッサは、前記受信部によって受信された前記第１のページングメッセージを処理し、前記送信部をトリガして前記第１のページングメッセージに応答させるように構成され、
前記送信部は、前記第１のページングメッセージに応答して、拡張カバレッジ型の制御情報および／または拡張カバレッジ型の第２のページングメッセージを前記端末に送信するように構成される、
アクセスネットワークノード。
【請求項４６】
前記第１のページングメッセージは、前記端末のチャネル損失情報を含み、または、
前記受信部は更に、前記送信部が前記第１のページングメッセージに応答して拡張カバレッジ型の制御情報および／または拡張カバレッジ型の第２のページングメッセージを前記端末に送信する前に、前記コアネットワークノードによって送信される前記端末のチャネル損失情報を受信するように構成される、
請求項４５に記載のアクセスネットワークノード。
【請求項４７】
前記受信部は更に、前記コアネットワークノードによって送信された前記第１のページングメッセージを受信する前に、前記端末によって送信されるチャネル損失情報を受信するように構成され、
前記送信部は更に、前記端末の前記チャネル損失情報を前記コアネットワークノードに送信するように構成される、
請求項４６に記載のアクセスネットワークノード。
【請求項４８】
前記アクセスネットワークノードは更にメモリを備え、
前記受信部は更に、前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するように構成され、
前記メモリは、前記端末の前記ＩＭＳＩまたは前記Ｓ−ＴＭＳＩを、前記端末の前記チャネル損失情報に関連付けて保存するように構成される、
請求項４５に記載のアクセスネットワークノード。
【請求項４９】
前記プロセッサは更に、前記受信部によって受信された前記第１のページングメッセージを処理し前記送信部をトリガして前記第１のページングメッセージに応答させる前に、前記端末のＩＭＳＩまたはＳ−ＴＭＳＩに従って、前記端末の前記チャネル損失情報が保存されていると決定するように構成される、
請求項４８に記載のアクセスネットワークノード。
【請求項５０】
前記プロセッサは更に、前記端末の前記チャネル損失情報に従って伝送パラメータを決定するように構成され、
前記送信部は更に、前記伝送パラメータに従って、前記拡張カバレッジ型の制御情報および／または前記拡張カバレッジ型の第２のページングメッセージを前記端末に送信するように構成される、
請求項４５乃至４９のいずれか一項に記載のアクセスネットワークノード。
【請求項５１】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項４５乃至５０のいずれか一項に記載のアクセスネットワークノード。
【請求項５２】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項４５乃至５１のいずれか一項に記載のアクセスネットワークノード。
【請求項５３】
前記チャネル損失情報は、チャネル損失の値またはチャネル損失の値の範囲またはチャネル損失の値の範囲インデックスを含む、
請求項４５乃至５２のいずれか一項に記載のアクセスネットワークノード。
【請求項５４】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項４５乃至５３のいずれか一項に記載のアクセスネットワークノード。
【請求項５５】
少なくとも１つのプロセッサと送信部とを備えるコアネットワークノードであって、
前記プロセッサは、端末の国際移動電話加入者識別番号（ＩＭＳＩ）または一時的移動電話加入者識別番号（Ｓ−ＴＭＳＩ）に従って、前記端末のチャネル損失情報が保存されていると決定するように構成され、
前記送信部は、前記チャネル損失情報を伝達する第１のページングメッセージをアクセスネットワークノードに送信するように構成され、それにより、前記アクセスネットワークノードが、前記第１のページングメッセージに従って、拡張カバレッジ型の制御情報および／または拡張カバレッジ型の第２のページングメッセージを前記端末に送信できるようにし、
前記送信部は更に、第１のページングメッセージと前記端末の前記チャネル損失情報とを前記アクセスネットワークノードに送信するように構成され、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにする、
コアネットワークノード。
【請求項５６】
前記送信部は更に、前記端末の前記ＩＭＳＩまたは前記Ｓ−ＴＭＳＩを前記アクセスネットワークノードに送信し、前記端末の前記チャネル損失情報を前記アクセスネットワークノードに送信するように構成され、それにより、前記アクセスネットワークノードが、前記端末の前記ＩＭＳＩまたは前記Ｓ−ＴＭＳＩを前記端末の前記チャネル損失情報に関連付けて保存できるようにする、
請求項５５に記載のコアネットワークノード。
【請求項５７】
受信部およびメモリを更に備え、
前記受信部は、端末の国際移動電話加入者識別番号（ＩＭＳＩ）または一時的移動電話加入者識別番号（Ｓ−ＴＭＳＩ）に従って前記端末のチャネル損失情報が保存されていると決定される前に、前記端末の前記チャネル損失情報を受信するように構成され、
前記メモリは、前記端末の前記チャネル損失情報を、前記端末の前記ＩＭＳＩまたは前記Ｓ−ＴＭＳＩに関連付けて保存するように構成される、
請求項５５または５６に記載のコアネットワークノード。
【請求項５８】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項５５乃至５７のいずれか一項に記載のコアネットワークノード。
【請求項５９】
前記チャネル損失情報は、チャネル損失の値またはチャネル損失の値の範囲またはチャネル損失の値の範囲インデックスを含む、
請求項５５乃至５８のいずれか一項に記載のコアネットワークノード。
【請求項６０】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項５５乃至５９のいずれか一項に記載のコアネットワークノード。
【請求項６１】
少なくとも１つプロセッサ、受信部および送信部を備える端末であって、
前記プロセッサは、前記端末とアクセスネットワークノードとの間のチャネル損失情報を決定するように構成され、
前記プロセッサは更に、前記送信部をトリガして、前記チャネル損失情報を前記アクセスネットワークノードに送信させ、国際移動電話加入者識別番号（ＩＭＳＩ）または一時的移動電話加入者識別番号（Ｓ−ＴＭＳＩ）を前記アクセスネットワークノードに送信させるように構成され、更に、前記チャネル損失情報に従って伝送パラメータを決定するように構成され、
前記受信部は、前記伝送パラメータに従って、前記アクセスネットワークノードによって送信された拡張カバレッジ型の制御情報および／または拡張カバレッジ型の第２のページングメッセージを受信するように構成される、
端末。
【請求項６２】
前記プロセッサは更に、前記チャネル損失情報を前記アクセスネットワークノードに送信し国際移動電話加入者識別番号（ＩＭＳＩ）または一時的移動電話加入者識別番号（Ｓ−ＴＭＳＩ）を前記アクセスネットワークノードに送信する前に、前記チャネル損失情報が設定された条件を満たすと決定するように構成され、前記設定された条件は、前記チャネル損失の値が設定された閾値以上であることを含む、
請求項６１に記載の端末。
【請求項６３】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項６１または６２に記載の端末。
【請求項６４】
前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む、
請求項６１乃至６３のいずれか一項に記載の端末。
【請求項６５】
前記チャネル損失情報は、前記チャネル損失の前記値または前記チャネル損失の前記値の範囲または前記チャネル損失の前記値の範囲インデックスを含む、
請求項６１乃至６４のいずれか一項に記載の端末。
【請求項６６】
前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む、
請求項６１乃至６５のいずれか一項に記載の端末。
【請求項６７】
請求項２３乃至３２および請求項４５乃至５４のいずれか一項に記載のアクセスネットワークノードと、
請求項３３乃至３８および請求項５５乃至６０のいずれか一項に記載のコアネットワークノードと、
請求項３９乃至４４および請求項６１乃至６６のいずれか一項に記載の端末と、
を備えるページング最適化システム。
【発明の詳細な説明】
【技術分野】
【０００１】
本発明は通信分野に関し、特に、ページング最適化方法、装置およびシステムに関する。
【背景技術】
【０００２】
通信技術の発達に伴い、スマートグリッド、知的輸送、政府業務、スマートハウス等の複数の分野で、モノのインターネットが幅広く利用されている。現在、ロング・ターム・エボリューション（Long  Term  Evolution，ＬＴＥ）ネットワークに低コストのマシン型通信ユーザーイクイップメント（Machine  Type  Communications  User  Equipment，ＭＴＣ  ＵＥ）が導入されており、ＭＴＣ  ＵＥのためにＬＴＥネットワークおよび無線インターフェースを拡張または最適化することが期待されている。ＭＴＣ  ＵＥの重要な応用はスマートメーターであり、例えば、水、電気、ガス等の計量情報を自動的に読み取り、計量情報をデータセンターに報告することができる。しかしながら、このようなスマートメーターは一般に家の地下室に設置されたり、重金属ケースによって隔離されたりする。したがって、この場合、ＭＴＣ  ＵＥと拡張ＮｏｄｅＢ（Evolved  Node  B，ｅＮｏｄｅＢ）との間のパスロスは、一般のＵＥとｅＮｏｄｅＢとの間のパスロスよりも深刻である。ＭＴＣ  ＵＥとｅＮｏｄｅＢとの間のパスロスが深刻である場合にも、ＭＴＣ  ＵＥがｅＮｏｄｅＢと正常に通信できるようにするために、オペレータは、ＬＴＥネットワークがＭＴＣ  ＵＥにサービスを提供しているときに、既存のＬＴＥネットワークよりもカバレッジを２０ｄＢ拡張することを提案する。
【０００３】
既存のＬＴＥネットワークでは、アイドル状態のＵＥについて、該ＵＥが着信サービスを有する場合、または、アイドル状態または接続状態のＵＥについて、システムメッセージが変更される必要がある場合、または地震や津波の早期警戒や商用モバイルアラートが必要となる場合、ネットワークは対応するＵＥをページングする必要がある。ページングプロセスは一般に以下のようなものである。すなわち、ＵＥとして機能するモビリティ管理エンティティ（Mobile  Management  Entity，ＭＭＥ）が、トラッキング領域内の全ｅＮｏｄｅＢにページングメッセージを送信する。ＭＭＥによって送信されたページングメッセージを受信すると、ｅＮｏｄｅＢは、該ｅＮｏｄｅＢの管理範囲内のＵＥにページングメッセージを配信する。
【０００４】
上述のページングプロセスを実施している間に、既存のＬＴＥシステムを用いて、ｅＮｏｄｅＢとのパスロスが比較的深刻なＵＥ（例えばＭＴＣ  ＵＥ）にサービスを提供する場合、既存のＬＴＥシステムのカバレッジを拡張する必要がある。この場合、拡張カバレッジ型のページングメッセージをＵＥに送信する必要がある。ＵＥがまだ既存のページング方式でページングされていると、該ＵＥは、システムのページングメッセージを正常に受信することができず、ページング障害が発生してしまう。
【発明の概要】
【０００５】
本発明の実施形態は、ページング最適化方法、装置およびシステムを提供し、それにより、端末がシステムによって送信されるページングメッセージを正常に受信できるようにする。
【０００６】
上述の目的を達成するために、本発明の実施形態では以下の技術的構成を採用する。
【０００７】
本発明の第１の態様は、ページング最適化方法を提供する。該方法は、
コアネットワークノードによって送信される第１のページングメッセージを受信するステップであって、前記第１のページングメッセージは端末をページングするのに用いられる、ステップと、
前記第１のページングメッセージに応答して、拡張カバレッジ型の制御情報および／または拡張カバレッジ型の第２のページングメッセージを前記端末に送信するステップと、
を有する。
【０００８】
第１の態様に関して、可能な実施方式では、
前記第１のページングメッセージは、端末のチャネル損失情報を含み、または、
前記第１のページングメッセージに応答して拡張カバレッジ型の制御情報および／または拡張カバレッジ型の第２のページングメッセージを前記端末に送信する前記ステップの前に、前記方法は更に、
前記コアネットワークノードによって送信される前記端末のチャネル損失情報を受信するステップ、
を有する。
【０００９】
第１の態様および上述の可能な実施方式に関して、別の可能な実施方式では、コアネットワークノードによって送信される第１のページングメッセージを受信する前記ステップの前に、前記方法は更に、
前記端末によって送信されるチャネル損失情報を受信するステップと、
前記端末の前記チャネル損失情報を前記コアネットワークノードに送信するステップと、
を有する。
【００１０】
第１の態様および上述の可能な実施方式に関して、別の可能な実施方式では、前記方法は更に、
前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するステップと、
前記端末の前記ＩＭＳＩまたは前記Ｓ−ＴＭＳＩを、前記端末の前記チャネル損失情報と関連付けて保存するステップと、
を有する。
【００１１】
第１の態様および上述の可能な実施方式に関して、別の可能な実施方式では、前記第１のページングメッセージに応答して拡張カバレッジ型の制御情報および／または拡張カバレッジ型の第２のページングメッセージを前記端末に送信する前記ステップの前に、前記方法は更に、
前記端末のＩＭＳＩまたはＳ−ＴＭＳＩに従って、前記端末の前記チャネル損失情報が保存されていると決定するステップ、
を有する。
【００１２】
第１の態様および上述の可能な実施方式に関して、別の可能な実施方式では、前記第１のページングメッセージに応答して拡張カバレッジ型の制御情報および／または拡張カバレッジ型の第２のページングメッセージを前記端末に送信する前記ステップは、
前記端末の前記チャネル損失情報に従って、伝送パラメータを決定するステップと、
前記伝送パラメータに従って、前記拡張カバレッジ型の制御情報および／または前記拡張カバレッジ型の第２のページングメッセージを前記端末に送信するステップと、
を有する。
【００１３】
第１の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００１４】
第１の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００１５】
第１の態様および上述の可能な実施方式に関して、別の可能な実施方式では、前記チャネル損失情報は、チャネル損失の値またはチャネル損失の値の範囲またはチャネル損失の値の範囲インデックスを含む。
【００１６】
第１の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを有する。
【００１７】
本発明の第２の態様は、ページング最適化方法を提供する。該方法は、
端末の国際移動電話加入者識別番号（ＩＭＳＩ）または一時的移動電話加入者識別番号（Ｓ−ＴＭＳＩ）に従って、前記端末のチャネル損失情報が保存されていると決定するステップ、および、
前記チャネル損失情報を伝達する第１のページングメッセージをアクセスネットワークノードに送信するステップであって、それにより、前記アクセスネットワークノードが、前記第１のページングメッセージに従って、拡張カバレッジ型の制御情報および／または拡張カバレッジ型の第２のページングメッセージを前記端末に送信できるようにする、ステップ、または、
第１のページングメッセージと前記端末の前記チャネル損失情報とを前記アクセスネットワークノードに送信するステップであって、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにするステップ、
を有する。
【００１８】
第２の態様に関して、可能な実施方式では、前記方法は更に、
前記端末の前記ＩＭＳＩまたは前記Ｓ−ＴＭＳＩを前記アクセスネットワークノードに送信し、前記端末の前記チャネル損失情報を前記アクセスネットワークノードに送信するステップであって、それにより、前記アクセスネットワークデバイスが、前記端末の前記ＩＭＳＩまたは前記Ｓ−ＴＭＳＩを、前記端末の前記チャネル損失情報に関連付けて保存できるようにする、ステップ、
を有する。
【００１９】
第２の態様および上述の可能な実施方式に関して、別の可能な実施方式では、端末の国際移動電話加入者識別番号（ＩＭＳＩ）または一時的移動電話加入者識別番号（Ｓ−ＴＭＳＩ）に従って前記端末のチャネル損失情報が保存されていると決定する前記ステップの前に、前記方法は更に、
前記端末の前記チャネル損失情報を受信するステップと、
前記端末の前記チャネル損失情報を、前記端末の前記ＩＭＳＩまたは前記Ｓ−ＴＭＳＩに関連付けて保存するステップと、
を有する。
【００２０】
第２の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを見たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００２１】
第２の態様および上述の可能な実施方式に関して、別の可能な実施方式では、前記チャネル損失情報は、チャネル損失の値またはチャネル損失の値の範囲またはチャネル損失の値の範囲インデックスを含む。
【００２２】
第２の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００２３】
本発明の第３の態様は、ページング最適化方法を提供する。該方法は、
端末とアクセスネットワークノードとの間のチャネル損失情報を決定するステップと、
前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定するステップと、
前記伝送パラメータに従って、前記アクセスネットワークノードによって送信された拡張カバレッジ型の制御情報および／または拡張カバレッジ型の第２のページングメッセージを受信するステップと、
を有する。
【００２４】
第３の態様に関して、可能な実施方式では、前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定する前記ステップの前に、前記方法は更に、
前記チャネル損失情報が設定された条件を満たすと決定するステップであって、前記設定された条件は、前記チャネル損失の値が設定された閾値以上であることを含む、ステップ、
を有する。
【００２５】
第３の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００２６】
第３の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００２７】
第３の態様および上述の可能な実施方式に関して、別の可能な実施方式では、前記チャネル損失情報は、前記チャネル損失の前記値または前記チャネル損失の前記値の範囲または前記チャネル損失の前記値の範囲インデックスを含む。
【００２８】
第３の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００２９】
本発明の第４の態様は、アクセスネットワークノードを提供する。該アクセスネットワークノードは、
コアネットワークノードによって送信される第１のページングメッセージを受信するように構成される第１の受信ユニットであって、前記第１のページングメッセージは端末をページングするのに用いられる、第１の受信ユニットと、
前記第１のページングメッセージに応答して、拡張カバレッジ型の制御情報および／または拡張カバレッジ型の第２のページングメッセージを前記端末に送信するように構成される第１の送信ユニットと、
を備える。
【００３０】
第４の態様に関して、可能な実施方式では，
前記第１のページングメッセージは、前記端末のチャネル損失情報を含み、または、
前記アクセスネットワークノードは更に、
前記第１の送信ユニットが前記第１のページングメッセージに応答して拡張カバレッジ型の制御情報および／または拡張カバレッジ型の第２のページングメッセージを前記端末に送信する前に、前記コアネットワークノードによって送信される前記端末のチャネル損失情報を受信するように構成される第２の受信ユニット、
を備える。
【００３１】
第４の態様および上述の可能な実施方式に関して、別の可能な実施方式では、前記アクセスネットワークノードは更に、
前記第１の受信ユニットが前記コアネットワークノードによって送信される前記第１のページングメッセージを受信する前に、前記端末によって送信されるチャネル損失情報を受信するように構成される第３の受信ユニットと、
前記第３の受信ユニットによって受信された前記端末の前記チャネル損失情報を前記コアネットワークノードに送信するように構成される第２の送信ユニットと、
を備える。
【００３２】
第４の態様および上述の可能な実施方式に関して、別の可能な実施方式では、前記アクセスネットワークノードは更に、
前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するように構成される第４の受信ユニットと、
前記第４の受信ユニットによって受信された前記端末の前記ＩＭＳＩまたは前記Ｓ−ＴＭＳＩを、前記端末の前記チャネル損失情報と関連付けて保存するように構成される記憶部と、
を備える。
【００３３】
第４の態様および上述の可能な実施方式に関して、別の可能な実施方式では、前記アクセスネットワークノードは更に、
前記第１の送信ユニットが前記第１のページングメッセージに応答して拡張カバレッジ型の制御情報および／または拡張カバレッジ型の第２のページングメッセージを前記端末に送信する前に、前記端末のＩＭＳＩまたはＳ−ＴＭＳＩに従って、前記端末の前記チャネル損失情報が保存されていると決定するように構成される決定ユニット、
を備える。
【００３４】
第４の態様および上述の可能な実施方式に関して、別の可能な実施方式では、前記第１の送信ユニットは、
前記端末の前記チャネル損失情報に従って伝送パラメータを決定するように構成される決定モジュールと、
前記決定モジュールによって決定された前記伝送パラメータに従って、前記拡張カバレッジ型の制御情報および／または前記拡張カバレッジ型の第２のページングメッセージを前記端末に送信するように構成される送信モジュールと、
を有する。
【００３５】
第４の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００３６】
第４の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００３７】
第４の態様および上述の可能な実施方式に関して、別の可能な実施方式では、前記チャネル損失情報は、チャネル損失の値またはチャネル損失の値の範囲またはチャネル損失の値の範囲インデックスを含む。
【００３８】
第４の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００３９】
本発明の第５の態様は、コアネットワークノードを提供する。該コアネットワークノードは、
端末の国際移動電話加入者識別番号（ＩＭＳＩ）または一時的移動電話加入者識別番号（Ｓ−ＴＭＳＩ）に従って、前記端末のチャネル損失情報が保存されていると決定するように構成される決定ユニットと、
前記チャネル損失情報を伝達する第１のページングメッセージをアクセスネットワークノードに送信するように構成される第１の送信ユニットであって、それにより、前記アクセスネットワークノードが、前記第１のページングメッセージに従って、拡張カバレッジ型の制御情報および／または拡張カバレッジ型の第２のページングメッセージを前記端末に送信できるようにする、第１の送信ユニットと、
第１のページングメッセージと前記端末の前記チャネル損失情報とを前記アクセスネットワークノードに送信するように構成される第２の送信ユニットであって、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにする、第２の送信ユニットと、
を備える。
【００４０】
第５の態様に関して、可能な実施方式では、前記コアネットワークノードは更に、
前記端末の前記ＩＭＳＩまたは前記Ｓ−ＴＭＳＩを前記アクセスネットワークノードに送信し、前記端末の前記チャネル損失情報を前記アクセスネットワークノードに送信するように構成される第３の送信ユニットであって、それにより、前記アクセスネットワークデバイスが、前記端末の前記ＩＭＳＩまたは前記Ｓ−ＴＭＳＩを、前記端末の前記チャネル損失情報に関連付けて保存できるようにする、第３の送信ユニット、
を備える。
【００４１】
第５の態様および上述の可能な実施方式に関して、別の可能な実施方式では、前記コアネットワークノードは更に、
前記決定ユニットが端末の国際移動電話加入者識別番号（ＩＭＳＩ）または一時的移動電話加入者識別番号（Ｓ−ＴＭＳＩ）に従って前記端末のチャネル損失情報が保存されていると決定する前に、前記端末の前記チャネル損失情報を受信するように構成される受信ユニットと、
前記受信ユニットによって受信された前記端末の前記チャネル損失情報を、前記端末の前記ＩＭＳＩまたは前記Ｓ−ＴＭＳＩに関連付けて保存するように構成される記憶部と、
を備える。
【００４２】
第５の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００４３】
第５の態様および上述の可能な実施方式に関して、別の可能な実施方式では、前記チャネル損失情報は、チャネル損失の値またはチャネル損失の値の範囲またはチャネル損失の値の範囲インデックスを含む。
【００４４】
第５の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００４５】
本発明の第６の態様は、端末を提供する。該端末は、
前記端末とアクセスネットワークノードとの間のチャネル損失情報を決定するように構成される第１の決定ユニットと、
前記チャネル損失情報を前記アクセスネットワークノードに送信し、国際移動電話加入者識別番号（ＩＭＳＩ）または一時的移動電話加入者識別番号（Ｓ−ＴＭＳＩ）を前記アクセスネットワークノードに送信し、前記チャネル損失情報に従って伝送パラメータを決定するように構成される送信・決定ユニットと、
前記送信・決定ユニットによって決定された前記伝送パラメータに従って、前記アクセスネットワークノードによって送信された拡張カバレッジ型の制御情報および／または拡張カバレッジ型の第２のページングメッセージを受信するように構成される受信ユニットと、
を備える。
【００４６】
第６の態様に関して、可能な実施方式では、前記端末は更に、
前記送信・決定ユニットが前記チャネル損失情報を前記アクセスネットワークノードに送信し、前記国際移動電話加入者識別番号（ＩＭＳＩ）または前記一時的移動電話加入者識別番号（Ｓ−ＴＭＳＩ）を前記アクセスネットワークノードに送信し、前記チャネル損失情報に従って前記伝送パラメータを決定する前に、前記チャネル損失情報が設定された条件を満たすと決定するように構成される第２の決定ユニットであって、前記設定された条件は、前記チャネル損失の値が設定された閾値以上であることを含む、第２の決定ユニット、
を更に備える。
【００４７】
第６の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００４８】
第６の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００４９】
第６の態様および上述の可能な実施方式に関して、別の可能な実施方式では、前記チャネル損失情報は、前記チャネル損失の前記値または前記チャネル損失の前記値の範囲または前記チャネル損失の前記値の範囲インデックスを含む。
【００５０】
第６の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００５１】
本発明の第７の態様は、少なくとも１つのプロセッサ、受信部および送信部を備えるアクセスネットワークノードを提供し、
前記受信部は、コアネットワークノードによって送信される第１のページングメッセージを受信するように構成され、前記第１のページングメッセージは端末をページングするのに用いられ、
前記プロセッサは、前記受信部によって受信された前記第１のページングメッセージを処理し、前記送信部をトリガして、前記第１のページングメッセージに応答するように構成され、
前記送信部は、前記第１のページングメッセージに応答して、拡張カバレッジ型の制御情報および／または拡張カバレッジ型の第２のページングメッセージを前記端末に送信するように構成される。
【００５２】
第７の態様に関して、第１の可能な実施方式では、
前記第１のページングメッセージは、前記端末のチャネル損失情報を含み、または、
前記受信部は更に、前記送信部が前記第１のページングメッセージに応答して拡張カバレッジ型の制御情報および／または拡張カバレッジ型の第２のページングメッセージを前記端末に送信する前に、前記コアネットワークノードによって送信される前記端末のチャネル損失情報を受信するように構成される。
【００５３】
第７の態様および上述の可能な実施方式に関して、別の可能な実施方式では、
前記受信部は更に、前記コアネットワークノードによって送信された前記第１のページングメッセージを受信する前に、前記端末によって送信されるチャネル損失情報を受信するように構成され、
前記送信部は更に、前記端末の前記チャネル損失情報を前記コアネットワークノードに送信するように構成される。
【００５４】
第７の態様および上述の可能な実施方式に関して、別の可能な実施方式では、前記アクセスネットワークノードは更にメモリを備え、
前記受信部は更に、前記端末によって送信される国際移動電話加入者識別番号（ＩＭＳＩ）または一時的移動電話加入者識別番号（Ｓ−ＴＭＳＩ）を受信し、前記端末によって送信されるチャネル損失情報を受信するか、または、前記コアネットワークノードによって送信される前記端末のＩＭＳＩまたはＳ−ＴＭＳＩを受信し、前記コアネットワークノードによって送信される前記端末のチャネル損失情報を受信するか、または、前記端末によって送信されるチャネル損失情報および前記コアネットワークノードによって送信される前記端末のＳ−ＴＭＳＩを受信するように構成され、
前記メモリは、前記端末の前記ＩＭＳＩまたは前記Ｓ−ＴＭＳＩを、前記端末の前記チャネル損失情報に関連付けて保存するように構成される。
【００５５】
第７の態様および上述の可能な実施方式に関して、別の可能な実施方式では，
前記プロセッサは更に、前記受信部によって受信された前記第１のページングメッセージを処理し前記送信部をトリガして前記第１のページングメッセージに応答する前に、前記端末のＩＭＳＩまたはＳ−ＴＭＳＩに従って、前記端末の前記チャネル損失情報が保存されていると決定するように構成される。
【００５６】
第７の態様および上述の可能な実施方式に関して、別の可能な実施方式では，
前記プロセッサは更に、前記端末の前記チャネル損失情報に従って伝送パラメータを決定するように構成され、
前記送信部は更に、前記伝送パラメータに従って、前記拡張カバレッジ型の制御情報および／または前記拡張カバレッジ型の第２のページングメッセージを前記端末に送信するように構成される。
【００５７】
第７の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００５８】
第７の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００５９】
第７の態様および上述の可能な実施方式に関して、別の可能な実施方式では、前記チャネル損失情報は、チャネル損失の値またはチャネル損失の値の範囲またはチャネル損失の値の範囲インデックスを含む。
【００６０】
第７の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００６１】
本発明の第８の態様は、少なくとも１つのプロセッサと送信部とを備えるコアネットワークノードを提供し、
前記プロセッサは、端末の国際移動電話加入者識別番号（ＩＭＳＩ）または一時的移動電話加入者識別番号（Ｓ−ＴＭＳＩ）に従って、前記端末のチャネル損失情報が保存されていると決定するように構成され、
前記送信部は、前記チャネル損失情報を伝達する第１のページングメッセージをアクセスネットワークノードに送信するように構成され、それにより、前記アクセスネットワークノードが、前記第１のページングメッセージに従って、拡張カバレッジ型の制御情報および／または拡張カバレッジ型の第２のページングメッセージを前記端末に送信できるようにし、
前記送信部は更に、第１のページングメッセージと前記端末の前記チャネル損失情報とを前記アクセスネットワークノードに送信するように構成され、それにより、前記アクセスネットワークノードが、前記第１のページングメッセージおよび前記端末の前記チャネル損失情報に従って、拡張カバレッジ型の制御情報および／または拡張カバレッジ型の第２のページングメッセージを前記端末に送信できるようにする。
【００６２】
第８の態様に関して、可能な実施方式では、
前記送信部は更に、前記端末の前記ＩＭＳＩまたは前記Ｓ−ＴＭＳＩを前記アクセスネットワークノードに送信し、前記端末の前記チャネル損失情報を前記アクセスネットワークノードに送信するように構成され、それにより、前記アクセスネットワークノードが、前記端末の前記ＩＭＳＩまたは前記Ｓ−ＴＭＳＩを前記端末の前記チャネル損失情報に関連付けて保存できるようにする。
【００６３】
第８の態様および上述の可能な実施方式に関して、別の可能な実施方式では、前記コアネットワークノードは更に受信部およびメモリを備え、
前記受信部は、端末の国際移動電話加入者識別番号（ＩＭＳＩ）または一時的移動電話加入者識別番号（Ｓ−ＴＭＳＩ）に従って前記端末のチャネル損失情報が保存されていると決定される前に、前記端末の前記チャネル損失情報を受信するように構成され、
前記メモリは、前記端末の前記チャネル損失情報を、前記端末の前記ＩＭＳＩまたは前記Ｓ−ＴＭＳＩに関連付けて保存するように構成される。
【００６４】
第８の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００６５】
第８の態様および上述の可能な実施方式に関して、別の可能な実施方式では、前記チャネル損失情報は、チャネル損失の値またはチャネル損失の値の範囲またはチャネル損失の値の範囲インデックスを含む。
【００６６】
第８の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００６７】
本発明の第９の態様は、少なくとも１つプロセッサ、受信部および送信部を備える端末を提供し、
前記プロセッサは、前記端末とアクセスネットワークノードとの間のチャネル損失情報を決定するように構成され、
前記プロセッサは更に、前記送信部をトリガして、前記チャネル損失情報を前記アクセスネットワークノードに送信させ、国際移動電話加入者識別番号（ＩＭＳＩ）または一時的移動電話加入者識別番号（Ｓ−ＴＭＳＩ）を前記アクセスネットワークノードに送信させるように構成され、更に、前記チャネル損失情報に従って伝送パラメータを決定するように構成され、
前記受信部は、前記伝送パラメータに従って、前記アクセスネットワークノードによって送信された拡張カバレッジ型の制御情報および／または拡張カバレッジ型の第２のページングメッセージを受信するように構成される。
【００６８】
第９の態様に関して、可能な実施方式では，
前記プロセッサは更に、前記チャネル損失情報を前記アクセスネットワークノードに送信し国際移動電話加入者識別番号（ＩＭＳＩ）または一時的移動電話加入者識別番号（Ｓ−ＴＭＳＩ）を前記アクセスネットワークノードに送信する前に、前記チャネル損失情報が設定された条件を満たすと決定するように構成され、前記設定された条件は、前記チャネル損失の値が設定された閾値以上であることを含む。
【００６９】
第９の態様および上述の可能な実施方式に関して、別の可能な実施方式では、前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送では、前記非拡張カバレッジ型の制御情報の伝送よりも多くの周波数リソースが占有されることと、前記拡張カバレッジ型の制御情報の伝送での伝送電力が前記非拡張カバレッジ型の制御情報の伝送での伝送電力よりも高いことと、前記拡張カバレッジ型の制御情報の伝送に用いられる変調方式が、前記非拡張カバレッジ型の制御情報の伝送に用いられる変調方式よりもロバストであることと、前記拡張カバレッジ型の制御情報の伝送に用いられる符号化方式が、前記非拡張カバレッジ型の制御情報の伝送に用いられる符号化方式よりもロバストであることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送では、前記非拡張カバレッジ型の第２のページングメッセージの伝送よりも多くの周波数リソースが占有されることと、前記拡張カバレッジ型の第２のページングメッセージの伝送での伝送電力が前記非拡張カバレッジ型の第２のページングメッセージの伝送での伝送電力よりも高いことと、前記拡張カバレッジ型の第２のページングメッセージの伝送に用いられる変調方式が、前記非拡張カバレッジ型の第２のページングメッセージの伝送に用いられる変調方式よりもロバストであることと、前記拡張カバレッジ型の第２のページングメッセージの伝送に用いられる符号化方式が、前記非拡張カバレッジ型の第２のページングメッセージの伝送に用いられる符号化方式よりもロバストであることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす。
【００７０】
第９の態様および上述の可能な実施方式に関して、別の可能な実施方式では、前記伝送パラメータは、前記拡張カバレッジ型の制御情報および／または前記拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【００７１】
第９の態様および上述の可能な実施方式に関して、別の可能な実施方式では、前記チャネル損失情報は、前記チャネル損失の前記値または前記チャネル損失の前記値の範囲または前記チャネル損失の前記値の範囲インデックスを含む。
【００７２】
第９の態様および上述の可能な実施方式に関して、別の可能な実施方式では、前記チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【００７３】
本発明の第１０の態様は、アクセスネットワークノード、コアネットワークノードおよび端末を含むページング最適化システムを提供し、
前記アクセスネットワークノードは、前記コアネットワークノードによって送信される第１のページングメッセージを受信するように構成され、前記第１のページングメッセージは前記端末をページングするのに用いられ、また、前記第１のページングメッセージに応答して、拡張カバレッジ型の制御情報および／または拡張カバレッジ型の第２のページングメッセージを前記端末に送信するように構成され、
前記コアネットワークノードは、前記端末の国際移動電話加入者識別番号（ＩＭＳＩ）または一時的移動電話加入者識別番号（Ｓ−ＴＭＳＩ）に従って、前記端末のチャネル損失情報が保存されていると決定ように構成され、また、前記チャネル損失情報を伝達する前記第１のページングメッセージを前記アクセスネットワークノードに送信し、それにより、前記アクセスネットワークノードが、前記第１のページングメッセージに従って、前記拡張カバレッジ型の制御情報および／または前記拡張カバレッジ型の第２のページングメッセージを前記端末に送信できるようにするか、または、前記第１のページングメッセージと前記端末の前記チャネル損失情報とを前記アクセスネットワークノードに送信する、それにより、前記アクセスネットワークノードが、前記第１のページングメッセージおよび前記端末の前記チャネル損失情報に従って、前記拡張カバレッジ型の制御情報および／または前記拡張カバレッジ型の第２のページングメッセージを前記端末に送信できるようにするように構成され、
前記端末は、前記チャネル損失情報を前記アクセスネットワークノードに送信し、前記国際移動電話加入者識別番号（ＩＭＳＩ）または前記一時的移動電話加入者識別番号（Ｓ−ＴＭＳＩ）を前記アクセスネットワークノードに送信し、前記チャネル損失情報に従って伝送パラメータを決定し、前記伝送パラメータに従って、前記アクセスネットワークノードによって送信された前記拡張カバレッジ型の制御情報および／または前記拡張カバレッジ型の第２のページングメッセージを受信するように構成される。
【００７４】
本発明の実施形態において提供されるページング最適化方法、装置およびシステムによれば、端末をページングする必要がある場合、コアネットワークノード  が第１のページングメッセージをアクセスネットワークノードに送信する。アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【図面の簡単な説明】
【００７５】
本発明の実施形態または従来技術の技術的構成をより明確に説明するために、以下、実施形態または従来技術の説明に必要な添付の図面を簡単に紹介する。当然ながら、以下の説明において、添付の図面は本発明の一部の実施形態を示すに過ぎない。当該技術分野の当業者であれば、更に、これらの添付の図面から創意工夫なく他の図面を導き出せるであろう。
【図１】本発明の実施形態に係るページング最適化方法のフローチャートである。
【図２】本発明の別の実施形態に係るページング最適化方法のフローチャートである。
【図３】本発明の別の実施形態に係る別のページング最適化方法のフローチャートである。
【図４】本発明の別の実施形態に係る別のページング最適化方法のフローチャートである。
【図５】本発明の別の実施形態に係る別のページング最適化方法のフローチャートである。
【図６】本発明の別の実施形態に係るアクセスネットワークノードの概略組成図である。
【図７】本発明の別の実施形態に係るコアネットワークノードの概略組成図である。
【図８】本発明の別の実施形態に係る別のコアネットワークノードの概略組成図である。
【図９】本発明の別の実施形態に係る端末の概略組成図である。
【図１０】本発明の別の実施形態に係る別のアクセスネットワークノードの概略組成図である。
【図１１】本発明の別の実施形態に係る別のコアネットワークノードの概略組成図である。
【図１２】本発明の別の実施形態に係る別の端末の概略組成図である。
【図１３】本発明の別の実施形態に係るページング最適化システムの概略組成図である。
【発明を実施するための形態】
【００７６】
以下、本発明の実施形態における添付の図面を参照して、本発明の実施形態における技術的構成を明瞭かつ完全に説明する。当然ながら、説明される実施形態は本発明の実施形態の一部に過ぎず、全部ではない。当該技術分野の当業者が本発明の実施形態に基づいて創意工夫なく得た他の実施形態は全て、本発明の保護範囲に包含されるものとする。
【００７７】
留意すべきこととして、本発明の実施形態において提供されるページング最適化方法は様々な通信システムに適用されてよく、例えば、現在の２Ｇおよび３Ｇの通信システムや、次世代通信システム、例えば、グローバル・システム・フォー・モバイル・コミュニケーションズ（Global  System  for  Mobile  Communications，ＧＳＭ）、符号分割多元接続（Code  Division  Multiple  Access，ＣＤＭＡ）システム、時分割多元接続（Time  Division  Multiple  Access，ＴＤＭＡ）システム、広帯域符号分割多元接続（Wideband  Code  Division  Multiple  Access  Wireless，ＷＣＤＭＡ）システム、周波数分割多元接続（周波数  Division  Multiple  Addressing，ＦＤＭＡ）システム、直交周波数分割多元接続（Orthogonal  Frequency-Division  Multiple  Access，ＯＦＤＭＡ）システム、シングルキャリアＦＤＭＡ（ＳＣ−ＦＤＭＡ）システム、汎用パケット無線サービス（General  Packet  Radio  Service，ＧＰＲＳ）システム、ユニバーサル・モバイル・テレコミュニケーション・システム（Universal  Mobile  Telecommunications  System，ＵＭＴＳ）、ＬＴＥシステムその他の通信システムに適用されてよい。例えば、ページング最適化方法がＵＭＴＳシステムに適用される場合、本発明の実施形態におけるコアネットワークノードはサービングＧＰＲＳサポートノード（Serving  GPRS  SUPPORT  NODE，SGSN）であってよく、アクセスネットワークノードは無線ネットワークコントローラ（Radio  Network  Controller，RNC）であってよく、或いは、アクセスネットワークノードは別の無線アクセスネットワークデバイスであってよい。ページング最適化方法がＬＴＥシステムに適用される場合、本発明の実施形態におけるコアネットワークノードはＭＭＥであってよく、アクセスネットワークノードはｅＮｏｄｅＢであってよい。当該技術分野の当業者が理解しやすいように、ＬＴＥシステムを例に挙げて本発明の実施形態を説明する。
【００７８】
留意すべきこととして、本発明の実施形態では、端末は一般的なＵＥであってよく、或いはＭＴＣ  ＵＥであってよく、本発明の実施形態では限定されない。
【００７９】
本発明の実施形態は、ページング最適化方法を提供する。図１に示されるように、該方法は以下のステップを有してよい。
【００８０】
１０１．アクセスネットワークノードが、コアネットワークノードによって送信された第１のページングメッセージを受信する。
【００８１】
ネットワークが端末をページングする必要がある場合、端末として機能するコアネットワークノードは、トラッキング領域内の全てのアクセスネットワークノードに対してページングプロセスを開始してよく、それにより、アクセスネットワークノードは、コアネットワークノードによって送信される第１のページングメッセージを受信することができる。第１のページングメッセージは、端末をページングするのに用いられる。
【００８２】
１０２．アクセスネットワークノードが、第１のページングメッセージに応答して、拡張カバレッジ型の制御情報および／または拡張カバレッジ型の第２のページングメッセージを端末に送信する。
【００８３】
コアネットワークノードによりアクセスネットワークノードに送信される第１のページングメッセージは、ページングする必要のある端末の端末識別インデックス値と端末の国際移動電話加入者識別番号（International  Mobile  Subscriber  Identity，ＩＭＳＩ）、または、ページングする必要のある端末の端末識別インデックス値と一時的移動電話加入者識別番号（S-Temporary  Mobile  Subscriber  Identity，Ｓ−ＴＭＳＩ）を伝達してよい。この場合、端末が、端末とアクセスネットワークノードとの間のチャネル損失が深刻である場合において、システムによって送信されるページングメッセージを正常に受信できるようにするために、コアネットワークコードによって送信された第１のページングメッセージを受信した後、アクセスネットワークノードは、第１のページングメッセージに伝達される端末識別インデックス値に従ってページングフレーム（paging  frame，ＰＦ）および／またはページングオケージョン（paging  occasion，ＰＯ）を取得してよく、また、ページングフレームにより、ページングオケージョンにおいて、ページングする必要のある端末に拡張カバレッジ型の制御情報および／または拡張カバレッジ型の第２のページングメッセージを送信してよい。
【００８４】
留意すべきこととして、拡張カバレッジ型の制御情報および／または拡張カバレッジ型の第２のページングメッセージは、端末とアクセスネットワークノードとの間のチャネル損失が深刻であるときに、アクセスネットワークノードにより端末に送信される制御情報および／またはページングメッセージであり、端末とアクセスネットワークノードとの間の深刻なチャネル損失を補償し、端末がシステムによって送信されたページングメッセージを正常に受信できるようにするために、既存のシステムにおいて制御情報および／またはページングメッセージのカバレッジを拡張することができる。全端末とアクセスネットワークノードとの間の最悪のチャネル損失状態に従って、拡張カバレッジ型の制御情報および／または拡張カバレッジ型の第２のページングメッセージによって提供され得る拡張カバレッジの特定値が計算されてよい。または、異なるチャネル損失状態に従って、拡張カバレッジの異なる値が計算されてよい。本発明の実施形態では拡張カバレッジの値は限定されず、上述の拡張カバレッジの値の単位はｄＢであってよい。
【００８５】
本発明の実施形態において提供されるページング最適化方法によれば、端末をページングする必要がある場合、コアネットワークノードが第１のページングメッセージをアクセスネットワークノードに送信する。アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【００８６】
本発明の別の実施形態は、ページング最適化方法を提供する。図２に示されるように、本方法は以下のステップを有してよい。
【００８７】
２０１．端末のＩＭＳＩまたはＳ−ＴＭＳＩに従って、端末のチャネル損失情報が保存されていると決定する。
【００８８】
コアネットワークノードは、端末のＩＭＳＩまたはＳ−ＴＭＳＩに従って、端末の前記チャネル損失情報が保存されているか否かを決定してよく、端末のチャネル損失情報が保存されていると決定した場合、以下のステップ２０２を実行してよい。チャネル損失情報は、コアネットワークノードにより事前に受信および保存されてよい。
【００８９】
２０２．チャネル損失情報を伝達する第１のページングメッセージをアクセスネットワークノードに送信し、それにより、アクセスネットワークノードが、第１のページングメッセージに従って、拡張カバレッジ型の制御情報および／または拡張カバレッジ型の第２のページングメッセージを端末に送信できるようにする。または、第１のページングメッセージと端末のチャネル損失情報とをアクセスネットワークノードに送信し、それにより、アクセスネットワークノードが、第１のページングメッセージおよび端末のチャネル損失情報に従って、拡張カバレッジ型の制御情報および／または拡張カバレッジ型の第２のページングメッセージを端末に送信できるようにする。
【００９０】
端末の前記チャネル損失情報が保存されていると決定した後、コアネットワークノードは、端末のチャネル損失情報を伝達する第１のページングメッセージをアクセスネットワークノードに送信することができる。それにより、アクセスネットワークノードが、第１のページングメッセージに従って、拡張カバレッジ型の制御情報および／または拡張カバレッジ型の第２のページングメッセージを端末に送信できるようにする。或いは、コアネットワークノードは、アクセスネットワークノードおよびコアネットワークノードのプロトコルレイヤの専用メッセージを用いて、アクセスネットワークノードにチャネル損失情報を通知し、ページングメッセージを送信する形で、第１のページングメッセージをアクセスネットワークノードに送信することができる。それにより、端末のチャネル損失情報および第１のページングメッセージを受信した後に、アクセスネットワークノードが伝送パラメータを決定し、伝送パラメータに従って、拡張カバレッジ型のおよび／または拡張カバレッジ型の第２のページングメッセージを、ページングする必要のある端末に送信できるようにする。
【００９１】
本発明の実施形態において提供されるページング最適化方法によれば、端末をページングする必要がある場合、コアネットワークノードが第１のページングメッセージをアクセスネットワークノードに送信する。アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【００９２】
本発明の別の実施形態は、ページング最適化方法を提供する。図３に示されるように、本方法は以下のステップを有してよい。
【００９３】
３０１．端末が、端末とアクセスネットワークノードとの間のチャネル損失情報を決定する。
【００９４】
チャネル損失情報は、参照信号受信電力（Reference  Signal  Received  Power，ＲＳＲＰ）、参照信号受信品質（Reference  Signal  Received  Quality，ＲＳＲＱ）、パスロスおよびチャネル品質指示（Channel  Quality  Indicator，ＣＱＩ）のうち少なくとも１つを含んでよい。パスロスは、端末とｅＮｏｄｅＢとの間のパスロスである。端末によって決定される端末とアクセスネットワークノードとの間のチャネル損失情報は、チャネル損失の値であってよく、或いはチャネル損失の値の範囲であってよく、或いはチャネル損失の値の範囲インデックスであってよい。具体的には、チャネル損失の値は以下の方法を用いて取得されてよい。端末は、ＲＳＲＰ、ＲＳＲＱおよびＣＱＩの値を取得するために測定を実行してよく、パスロスの値は、端末により、ｅＮｏｄｅＢによって送信されるダウンリンクセル固有参照信号（Cell-specific  Reference  Signal，ＣＲＳ）の電力とＲＳＲＰの値との差を算出することによって、取得されてよい。端末は、システム情報ブロックタイプ２（System  Information  Block  Type2，ＳＩＢ２）を用いて、ｅＮｏｄｅＢによって使用される電力をダウンリンクＣＲＳに送信することができる。ｅＮｏｄｅＢ、システムその他のネットワーク側エンティティは、端末とｅＮｏｄｅＢとの間のチャネル損失の値Ｎ個の範囲に分割してよい（Ｎは正の整数）。そして、ｅＮｏｄｅＢは端末に対して、チャネル損失の値がＮ個の範囲に分割されたという分割情報を送信する。ｅＮｏｄｅＢによって送信され端末によって受信される以下のメッセージ、すなわち、無線リソース制御（Radio  Resource  Control，ＲＲＣ）公共メッセージ、専用のＲＲＣメッセージ、メディアアクセス制御（Media  Access  Control，ＭＡＣ）制御要素（Control  Element，ＣＥ）メッセージおよび物理レイヤメッセージのうち１以上の種類を用いて、端末は、チャネル損失の値がＮ個の範囲に分割されたという分割情報を取得することができる。具体的には、分割情報は、Ｎの値を示すのに用いられるパラメータおよび／またはＮ個の範囲の決定に用いられる閾値パラメータを含む。Ｎの値を示すのに用いられるパラメータまたはＮ個の範囲の決定に用いられる閾値パラメータは、予め決定され予め設定される固定値であってもよい。端末、ｅＮｏｄｅＢその他のネットワーク側エンティティは、予め決められた方式でＮ個の範囲に対してインデックス付番を実行してもよい。例えば、番号は、チャネル損失の値の範囲インデックス１〜チャネル損失の値の範囲インデックスＮの範囲である。例えば、チャネル損失の値が３個の範囲に分割される場合、すなわちＮ＝３である場合、該３個の範囲はそれぞれ、チャネル損失の値の範囲インデックス１：チャネル損失＜＝ｘ１ｄＢと、チャネル損失の値の範囲インデックス２：ｘ１ｄＢ＜チャネル損失＜＝ｘ２ｄＢと、チャネル損失の値の範囲インデックス３：チャネル損失＞ｘ２ｄＢと、であってよい。この場合、Ｎの値を示しｅＮｏｄｅＢによって端末に送信され得る分割情報に含まれるパラメータは３であってよく、かつ／または、３個の範囲の決定に用いられる閾値パラメータはｘ１およびｘ２である。以上のパラメータ３、ｘ１、ｘ２は、ｅＮｏｄｅＢがこれら２つのパラメータを分割情報に含める必要がないように、予め設定されて���よい。或いは、端末は、ｅＮｏｄｅＢその他のネットワーク側エンティティと予め決められた規則に従って、チャネル損失の値のＮ個の範囲を決定してよい。予め決められた規則はチャネル損失の値の範囲インデックス、すなわち、ｘ＝ｆｕｎ（チャネル損失）（ｆｕｎ（）は関数を表す）であってよい。或いは、端末は、システム、ｅＮｏｄｅＢその他のネットワーク側エンティティとの取り決めに従って、チャネル損失の値のＮ個の範囲を決定してよい。このように、端末は、Ｎ個の範囲と、測定によって得られる端末のチャネル損失の値とに従って、端末のチャネル損失の値の範囲を決定してよく、或いはチャネル損失の値の範囲インデックスを決定してよい。
【００９５】
３０２．端末が、チャネル損失情報をアクセスネットワークノードに送信し、ＩＭＳＩまたはＳ−ＴＭＳＩをアクセスネットワークノードに送信し、チャネル損失情報に従って伝送パラメータを決定する。
【００９６】
端末とアクセスネットワークノードとの間のチャネル損失が深刻である場合に、端末は、決定された端末のチャネル損失情報をアクセスネットワークノードに送信し、端末のＩＭＳＩまたはＳ−ＴＭＳＩをアクセスネットワークノードに送信してよく、それにより、端末がページングされる必要があるときに、アクセスネットワークノードは拡張カバレッジ型の制御情報および／または拡張カバレッジ型の第２のページングメッセージを端末に送信することができる。更に、端末がアクセスネットワークノードによって送信された拡張カバレッジ型の制御情報および／または拡張カバレッジ型の第２のページングメッセージを受信できることを保証するために、端末は、チャネル損失情報に従って伝送パラメータを気手値する必要がある。具体的には、アクセスネットワークノードと同様に、端末はチャネル損失情報に従って伝送パラメータを決定してよい。詳細については、ステップ４０６の記載を参照することができる。或いは、端末がチャネル損失情報に従って伝送パラメータを決定する前に、アクセスネットワークノードは、異なるチャネル損失情報に従って、対応する伝送パラメータ群を決定し、決定された伝送パラメータ群と、伝送パラメータ群とチャネル損失情報との対応関係とを、ＲＲＣ公共メッセージを用いて端末に送信してよく、それにより、端末が、端末のチャネル損失情報に従って、伝送パラメータ群から対応する伝送パラメータを選択することができるようにする。
【００９７】
３０３．伝送パラメータに従って、アクセスネットワークノードによって送信された拡張カバレッジ型の制御情報および／または拡張カバレッジ型の第２のページングメッセージを受信する。
【００９８】
チャネル損失情報に従って伝送パラメータを決定した後、端末は、伝送パラメータに従って、アクセスネットワークノードによって送信された拡張カバレッジ型の制御情報および／または拡張カバレッジ型の第２のページングメッセージを受信してよい。
【００９９】
本発明の実施形態において提供されるページング最適化方法によれば、端末がチャネル損失情報をアクセスネットワークノードに送信し、また、ＩＭＳＩまたはＳ−ＴＭＳＩをアクセスネットワークノードに送信し、それにより、端末がページングされているときに、アクセスネットワークノードが拡張カバレッジ型の制御情報および／または拡張カバレッジ型の第２のページングメッセージを端末に送信でき、端末がチャネル損失情報に従って決定された伝送パラメータに従って、アクセスネットワークノードによって送信された拡張カバレッジ型の制御情報および／または拡張カバレッジ型の第２のページングメッセージを受信できるようにする。これにより、端末とアクセスネットワークノードとの間のチャネル損失が深刻である場合でも、端末がネットワーク側デバイスによって送信されたページングメッセージを正常に受信できることが、効果的に保証される。
【０１００】
本発明の別の実施形態は、ページング最適化方法を提供する。図４に示されるように、該方法は以下のステップを有してよい。
【０１０１】
４０１．アクセスネットワークノードが、端末によって送信されたチャネル損失情報を受信する。
【０１０２】
アイドル状態の端末について、該端末がサービスを有する場合、或いは、アイドル状態の端末および接続状態の端末について、システムメッセージが変更される必要がある場合、または地震や津波の早期警戒や商用モバイルアラートが必要となる場合、ネットワークは対応するＵＥをページングする必要がある。端末とｅＮｏｄｅＢとの間のチャネル損失が深刻であるときでも、システムによって送信されるページングメッセージの制御情報および／またはページングメッセージを端末が正常に受信できるようにするために、システムは、ページングメッセージの制御情報および／またはページングメッセージのカバレッジを拡張する必要がある。ＭＭＥとｅＮｏｄｅＢはどちらも端末とｅＮｏｄｅＢとの間のチャネル損失の状況を知らない。よって、ＭＭＥとｅＮｏｄｅＢはどちらも、どの端末に対してページングメッセージの制御情報および／またはページングメッセージのカバレッジを拡張するべきなのかを決定することができず、また、端末がページングメッセージの制御情報および／またはページングメッセージを正常に受信できるようにするために必要な拡張カバレッジの特定値を知ることができない。したがって、本発明の実施形態はある構成を提供する。すなわち、拡張カバレッジ型の制御情報および／または拡張カバレッジ型の第２のページングメッセージが全端末に送信され、最悪のチャネル損失状態に従って、提供され得る拡張カバレッジの特定値が決定される。別の態様において、本発明の実施形態は更に別の構成を提供する。すなわち、異なるチャネル損失状態に従って、拡張カバレッジの異なる特定値が計算される。このように、端末は、該端末とｅＮｏｄｅＢとの間のチャネル損失情報をネットワークデバイスに報告する必要がある。
【０１０３】
ｅＮｏｄｅＢは、端末によって送信されたチャネル損失情報を受信する。具体的には、チャネル損失は、ＲＳＲＰ、ＲＳＲＱ、パスロスおよびＣＱＩのうちの少なくとも１つを含んでよい。パスロスは、端末とｅＮｏｄｅＢとの間のパスロスである。更に、端末によって送信されｅＮｏｄｅＢによって受信されるチャネル損失情報は、チャネル損失の値であってよく、或いはチャネル損失の値の範囲であってよく、或いはチャネル損失の値の範囲インデックスであってよい。端末によるチャネル損失の値の取得の詳細な説明については、本発明の実施形態のステップ３０１における対応する説明を参照することができ、本発明の本実施形態では詳細の説明を省略する。更に、端末とｅＮｏｄｅＢとの間のチャネル損失の値、チャネル損失の値の範囲またはチャネル損失の値の範囲インデックスを取得した後、端末は、取得したチャネル損失の値、チャネル損失の値の範囲またはチャネル損失の値の範囲インデックスを、非アクセス層（Non  Access  Stratum，ＮＡＳ）メッセージを用いてｅＮｏｄｅＢに送信することができる。ＮＡＳメッセージは、ｅＮｏｄｅＢに対して透過的である。この場合、ｅＮｏｄｅＢは、端末によって送信されたチャネル損失情報をＮＡＳメッセージを用いて受信することができるが、ＮＡＳメッセージを解析しない。ＮＡＳメッセージは専用のものであってよく、或いは、アタッチプロセスでのメッセージ、トラッキング領域更新（Tracking  Area  Update，ＴＡＵ）プロセスでのメッセージ、または別のプロセスでのメッセージであってよい。端末は、以下のメッセージ、すなわちＲＲＣメッセージ、ＭＡＣ  ＣＥメッセージおよび物理レイヤメッセージのうち１以上の種類を用いて、取得されたチャネル損失の値、チャネル損失の値の範囲またはチャネル損失の値の範囲インデックスをｅＮｏｄｅＢに送信してもよく、こうして、ｅＮｏｄｅＢは端末によって送信されるチャネル損失情報を受信することができる。ＲＲＣメッセージはＲＲＣ接続要求メッセージ（ＲＲＣ  Connection  Request）であってよく、物理レイヤメッセージはランダム・アクセス・プリアンブルであってよい。
【０１０４】
任意に、端末のチャネル損失情報をｅＮｏｄｅＢに送信する前に、端末はまず、端末とｅＮｏｄｅＢとの間のチャネル損失の値が設定された閾値以上であるか否かを決定してよく、チャネル損失の値が設定された閾値以上である場合は、端末のチャネル損失情報をｅＮｏｄｅＢに報告し、チャネル損失の値が設定された閾値未満である場合は、端末のチャネル損失情報をｅＮｏｄｅＢに報告しない。
【０１０５】
４０２．アクセスネットワークノードが、端末のチャネル損失情報をコアネットワークノードに送信する。
【０１０６】
端末によって送信された端末のチャネル損失情報をＮＡＳメッセージを用いて受信した後、ｅＮｏｄｅＢは、ＮＡＳメッセージのコンテンツを処理することなく、ＲＲＣレイヤからＮＡＳメッセージのみを抽出し、プロトコル変換を実行してよい。それからｅＮｏｄｅＢは、ｅＮｏｄｅＢおよびＭＭＥのプロトコルレイヤのメッセージを用いて、受信された端末のチャネル損失情報をＭＭＥに送信する。或いは、端末によって送信された端末のチャネル損失情報を、以下のメッセージすなわちＲＲＣメッセージ、ＭＡＣ  ＣＥメッセージおよび物理レイヤメッセージのうち１以上の種類を用いて受信した後、ｅＮｏｄｅＢは、ｅＮｏｄｅＢおよびＭＭＥのプロトコルレイヤでのメッセージを用いて、チャネル損失情報をＭＭＥに送信してよい。ｅＮｏｄｅＢおよびＭＭＥのプロトコルレイヤでのメッセージは、能力情報指示（Capability  Info  Indication）であってよい。
【０１０７】
４０３．コアネットワークノードが、端末のＩＭＳＩまたはＳ−ＴＭＳＩを、端末のチャネル損失情報に関連付けて保存する。
【０１０８】
上述のコアネットワークノードは、ＭＭＥであってよい。
【０１０９】
ｅＮｏｄｅＢによって送信された端末のＩＭＳＩと端末のチャネル損失情報とを受信した後、ＭＭＥは、端末のＩＭＳＩを端末のチャネル損失情報と関連付けて保存してよい。従来技術において、コアネットワークノードはＳ−ＴＭＳＩを端末に割り当ててよく、それにより、本発明の実施形態において、ｅＮｏｄｅＢによって送信された端末のチャネル損失情報を受信した後に、ＭＭＥは、端末のＳ−ＴＭＳＩを端末のチャネル損失情報に関連付けて保存することができる。例えば、ＭＭＥは、表１に示すような方法で、端末のＩＭＳＩまたはＳ−ＴＭＳＩを端末のチャネル損失情報に関連付けて保存してよい。例えば、チャネル損失情報はチャネル損失の値の範囲インデックスである。
【表１】
2019146240.tif 000003
【０１１０】
留意すべきこととして、本発明の実施形態において、端末のＩＭＳＩまたはＳ−ＴＭＳＩと端末のチャネル損失情報とは、具体的には表１に示されるように関連付けられて保存されてよい。或いは、関連保存は別の方式と形式で実施されてよく、本発明の実施形態では限定されない。
【０１１１】
４０４．コアネットワークノードが、端末のＩＭＳＩまたはＳ−ＴＭＳＩに従って、端末のチャネル損失情報が保存されていると決定する。
【０１１２】
ＭＭＥは、端末のＩＭＳＩまたはＳ−ＴＭＳＩに従って、端末のＩＭＳＩまたはＳ−ＴＭＳＩに対応する端末のチャネル損失情報が保存されているか否かを決定してよく、端末のチャネル損失情報が利用可能であると決定した場合、以下のステップ４０５〜ステップ４０７を実行してよい。具体的には、ＭＭＥは、端末のＩＭＳＩまたはＳ−ＴＭＳＩと端末のチャネル損失情報との関連保存に従って、決定を実行してよい。
【０１１３】
任意に、端末のチャネル損失情報が保存されていると決定した後、コアネットワークノードは更に、端末のＩＭＳＩまたはＳ−ＴＭＳＩと端末のチャネル損失情報とを、アクセスネットワークノードおよびコアネットワークノードのプロトコルレイヤでの１以上のメッセージを用いて、アクセスネットワークノードに送信してよく、それにより、アクセスネットワークノードが、端末のＩＭＳＩまたはＳ−ＴＭＳＩを端末のチャネル損失情報に関連付けて保存できるようにする。このように、端末がページングされているときに、ページングメッセージを送信する形で、コアネットワークノードが第１のページングメッセージをアクセスネットワークノードに送信する。アクセスネットワークノードは、第１のページングメッセージを解析して、第１のページングメッセージに伝達されるページングされる端末のＩＭＳＩまたはＳ−ＴＭＳＩを取得し、ＩＭＳＩまたはＳ−ＴＭＳＩに従って、アクセスネットワークノードに保存される端末のＩＭＳＩまたはＳ−ＴＭＳＩと端末のチャネル損失情報との関連関係から、チャネル損失情報を取得し、チャネル損失情報に従って伝送パラメータを決定し、伝送パラメータに従って、拡張カバレッジ型の制御情報および／または拡張カバレッジ型の第２のページングメッセージを、コアネットワークノードによってページングされる必要のある端末に送信する。
【０１１４】
４０５．コアネットワークノードは、チャネル損失情報を伝達する第１のページングメッセージをアクセスネットワーク側に送信するか、または、第１のページングメッセージと端末のチャネル損失情報とをアクセスネットワークノードに送信する。
【０１１５】
端末のチャネル損失情報が利用可能であるとＭＭＥが決定した場合、ＭＭＥは、ＭＭＥのトラッキング領域内の全てのｅＮｏｄｅＢに、第１のページングメッセージを送信してよい。第１のページングメッセージは、ページングする必要のある端末のＩＭＳＩまたはＳ−ＴＭＳＩに対応するチャネル損失情報と、端末の識別インデックス値と、端末のＩＭＳＩまたはＳ−ＴＭＳＩとのうち少なくとも１つの情報を伝達してよい。例えば、チャネル損失情報、端末の識別インデックス値および端末のＩＭＳＩまたはＳ−ＴＭＳＩを伝達する第１のページングメッセージに含まれる情報要素（Information  Element，ＩＥ）を表２に示すことができる。最後のＩＥはチャネル損失情報である。ＭＭＥは、ページングする必要のある端末のチャネル損失情報と第１のページングメッセージとを、別々にｅＮｏｄｅＢに送信してもよい。端末のチャネル損失情報は、ｅＮｏｄｅＢおよびＭＭＥのプロトコルレイヤでの専用メッセージを用いて、ｅＮｏｄｅＢに通知することができる。ＭＭＥが端末のチャネル損失情報が利用不可であると決定した場合、端末がページングされているときに、ＭＭＥは従来技術に従って、第１のページングメッセージのみをｅＮｏｄｅＢに送信すればよい。
【表２】
2019146240.tif 000004
【０１１６】
留意すべきこととして、コアネットワークノードによりアクセスネットワークノードにページングする必要のある端末のチャネル損失情報を通知する形式は、本発明の実施形態では限定されない。
【０１１７】
４０６．アクセスネットワークノードが、端末のチャネル損失情報に従って伝送パラメータを決定する。
【０１１８】
端末のチャネル損失情報を伝達する第１のページングメッセージを受信した後、または、端末のチャネル損失情報を受信した後、ｅＮｏｄｅＢは、受信された端末のチャネル損失情報に従って、伝送パラメータを決定してよい。伝送パラメータは、拡張カバレッジ型の制御情報および／または拡張カバレッジ型の第２のページングメッセージの伝送に用いられる開始フレーム番号、開始サブフレーム番号、開始タイムスロット番号および開始シンボル番号と、拡張カバレッジ型の制御情報および／または拡張カバレッジ型の第２のページングメッセージの伝送で占用される１つ目のリソースブロック（Resource  Block，ＲＢ）の番号および１つ目のサブキャリアの番号と、拡張カバレッジ型の制御情報および／または拡張カバレッジ型の第２のページングメッセージの伝送で占用されるフレーム数、サブフレーム数、タイムスロット数、シンボル数、ＲＢ数およびサブキャリア数と、拡張カバレッジ型の制御情報および／または拡張カバレッジ型の第２のページングメッセージの伝送に用いられる繰り返し回数、拡散率、スペクトル拡散シーケンスインデックス、送信時間間隔バンドリング（TTI  bundling）のサイズおよびアグリゲーションレベルと、拡張カバレッジ型の制御情報および／または拡張カバレッジ型の第２のページングメッセージの伝送に用いられる電力構成、変調符号化方式、周期、ページングフレーム（ＰＦ）およびページングオケージョン（ＰＯ）と、のうち１以上であってよい。
【０１１９】
任意に、アクセスネットワークノードは、伝送パラメータ＝ｆｕｎ（チャネル損失情報）に従って伝送パラメータを決定してよい。ｆｕｎ（）は固定の関数を示す。
【０１２０】
任意に、アクセスネットワークノードは、伝送パラメータとチャネル損失情報との対応関係を保存してよい。端末のチャネル損失情報を伝達する第１のページングメッセージを受信した後、または、端末のチャネル損失情報を受信した後、アクセスネットワークノードは保存された対応関係を検索して、伝送パラメータを決定してよい。例えば、チャネル損失情報がチャネル損失の値の範囲インデックスであり、伝送パラメータが拡張カバレッジ型の制御情報によって採用される繰り返し回数または拡張カバレッジ型の第２のページングメッセージによって採用される繰り返し回数である場合、チャネル損失情報とアクセスネットワークノードに予め保存される伝送パラメータとの対応関係は、表３に示すようなものであってよい。端末のチャネル損失の値の範囲インデックスを伝達する第１のページングメッセージを受信した後、または、端末のチャネル損失の値の範囲インデックスを受信した後、アクセスネットワークノードは、受信された端末のチャネル損失の値の範囲インデックスに従って表３を検索し、それによって繰り返し回数を決定してよい。
【表３】
2019146240.tif 000005
【０１２１】
４０７．アクセスネットワークノードが、伝送パラメータに従って、拡張カバレッジ型の制御情報および／または拡張カバレッジ型の第２のページングメッセージを端末に送信する。
【０１２２】
第１のページングメッセージは、端末識別インデックス値を伝達する。伝送パラメータを決定した後、ｅＮｏｄｅＢは、伝送パラメータおよび端末識別インデックス値に従って、拡張カバレッジ型の制御情報および／または拡張カバレッジ型の第２のページングメッセージを端末に送信してよい。第２のページングメッセージは、端末のＩＭＳＩまたはＳ−ＴＭＳＩを伝達する。
【０１２３】
非拡張カバレッジ型の制御情報と比較して、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たす。非拡張カバレッジ型の第２のページングメッセージと比較して、拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。したがって、端末とアクセスネットワークノードとの間のチャネル損失が比較的深刻である場合、拡張カバレッジ型の制御情報および／または拡張カバレッジ型の第２のページングメッセージを端末に送信する方法を用いて、端末が首尾よくシステムからページングメッセージを受信できることを保証してよい。
【０１２４】
任意に、可能な実施方式では、ｅＮｏｄｅＢは、端末識別インデックス値および伝送パラメータに従って、拡張カバレッジ型の第２のページングメッセージの制御情報を送信する。例えば、拡張カバレッジ型の第２のページングメッセージの制御情報は、物理ダウンリンク制御チャネル（Physical  Downlink  Control  Channel，ＰＤＣＣＨ）および／または拡張物理ダウンリンク制御チャネル（Enhanced  Physical  Downlink  Control  Channel，ｅＰＤＣＣＨ）によって伝達されてよい。制御情報の巡回冗長検査（Cyclic  Redundancy  Check，ＣＲＣ）は、ページング無線ネットワーク一時識別子（Paging-Radio  Network  Temporary  Identifier，Ｐ−ＲＮＴＩ）を用いてスクランブルされ、対応する拡張カバレッジ型の第２のページングメッセージは制御メッセージを用いてスケジュールされ、伝送パラメータに従って、拡張カバレッジ型の第２のページングメッセージを物理ダウンリンク共有チャネル（Physical  Downlink  Shared  Channel，ＰＤＳＣＨ）によって送信する。このように、端末は、端末のＩＭＳＩと、端末のチャネル損失情報に従って決定された伝送パラメータとに従って、ＰＤＣＣＨおよび／またはｅＰＤＣＣＨチャネルを傍受し、Ｐ−ＲＮＴＩを用いてＰＤＣＣＨおよび／またはｅＰＤＣＣＨのＣＲＣのスクランブルを解き、ＣＲＣを用いて拡張カバレッジ型の制御情報を検査し、端末の拡張カバレッジ型の制御情報が利用可能であるか否かを決定してよい。端末の拡張カバレッジ型の制御情報が利用可能である場合、端末は、制御情報のスケジューリングおよび伝送パラメータに従って、対応する拡張カバレッジ型の第２のページングメッセージを読み取り、拡張カバレッジ型の第２のページングメッセージに伝達される端末のＩＭＳＩまたはＳ−ＴＭＳＩに従って、第２のページングメッセージが該端末自身に対するページングメッセージであるか否かを決定する。ｅＮｏｄｅＢによって受信された第１のページングメッセージが端末のチャネル損失情報を伝達しない場合、または、ＭＭＥによって送信された第１のページングメッセージのみが受信され端末のチャネル損失情報が受信されなかった場合、ｅＮｏｄｅＢは、従来技術に従って、第２のページングメッセージの制御情報と第２のページングメッセージとを端末に送信する。この場合、端末は、端末のＩＭＳＩに従って対応するＰＦおよびＰＯを計算し、ＰＦおよびＰＯにおいて、第２のページングメッセージの制御情報と第２のページングメッセージとを受信するだけでよい。
【０１２５】
本発明の実施形態において提供されるページング最適化方法によれば、端末をページングする必要がある場合、コアネットワークノードが第１のページングメッセージをアクセスネットワークノードに送信する。アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０１２６】
端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０１２７】
本発明の別の実施形態は、ページング最適化方法を提供する。図５に示されるように、該方法は以下のステップを有してよい。
【０１２８】
５０１．アクセスネットワークノードは、端末によって送信されたＩＭＳＩまたはＳ−ＴＭＳＩを受信し、端末によって送信されたチャネル損失情報を受信するか、または、コアネットワークノードによって送信された端末のＩＭＳＩまたはＳ−ＴＭＳＩを受信し、コアネットワークノードによって送信された端末のチャネル損失情報を受信するか、または、端末によって送信されたチャネル損失情報とコアネットワークノードによって送信された端末のＳ−ＴＭＳＩとを受信する。
【０１２９】
上述のアクセスネットワークノードは基地局であってよく、更にｅＮｏｄｅＢであってよい。
【０１３０】
端末とｅＮｏｄｅＢとの間のチャネル損失が深刻である場合でも、端末がシステムによって送信されたページングメッセージを正常に受信できるようにし、また、ｅＮｏｄｅＢが、端末とｅＮｏｄｅＢとの間の異なるチャネル損失に従って、異なる拡張カバレッジ型の制御情報および／または異なる拡張カバレッジ型の第２のページングメッセージを送信できるようにするために、端末は、端末とｅＮｏｄｅＢとの間のチャネル損失情報をｅＮｏｄｅＢに報告してよい。それにより、ｅＮｏｄｅＢは、端末とｅＮｏｄｅＢとの間のチャネル損失状態を取得することができる。具体的には、端末は、以下のメッセージすなわちＲＲＣメッセージ、ＭＡＣ  ＣＥメッセージおよび物理レイヤメッセージのうち１以上の種類を用いて、チャネル損失情報をｅＮｏｄｅＢに送信してよい。ＲＲＣメッセージはＲＲＣ接続要求メッセージ（RRC  Connection  Request）であってよく、物理レイヤメッセージはランダム・アクセス・プリアンブルであってよい。端末は、アクセス層（Access  Stratum，ＡＳ）メッセージを用いてｅＮｏｄｅＢに、端末のＩＭＳＩまたはコアネットワークノードにより端末に割り当てられたＳ−ＴＭＳＩを送信してよい。アクセス層メッセージはRRC  Connection  Requestであってよい。この場合、ｅＮｏｄｅＢは、端末によって送信されたＩＭＳＩまたはＳ−ＴＭＳＩと、端末によって送信されたチャネル損失情報とを受信することができる。
【０１３１】
任意に、端末のＩＭＳＩまたはＳ−ＴＭＳＩをｅＮｏｄｅＢに送信する前に、端末はまず、端末とｅＮｏｄｅＢとの間のチャネル損失の値が設定された閾値以上であるか否かを決定してよく、チャネル損失の値が設定された閾値以上である場合は、端末のチャネル損失情報と端末のＩＭＳＩまたはＳ−ＴＭＳＩとをｅＮｏｄｅＢに報告し、チャネル損失の値が設定された閾値未満である場合は、端末のチャネル損失情報をｅＮｏｄｅＢに報告しない。チャネル損失の値が設定された閾値に等しい場合、チャネル損失情報を報告するか否かは実際のネットワーク条件に従って決定されてよく、本発明の実施形態では限定されない。
【０１３２】
任意に、端末は、上述の方式でチャネル損失情報をｅＮｏｄｅＢに送信してよい。コアネットワークノードは、Ｓ−ＴＭＳＩを端末に割り当て、ＭＭＥおよびｅＮｏｄｅＢのプロトコルレイヤでのメッセージを用いて、割り当てられたＳ−ＴＭＳＩをｅＮｏｄｅＢに送信してよい。この場合、ｅＮｏｄｅＢは、端末によって送信されたチャネル損失情報と、ＭＭＥによって送信された端末のＳ−ＴＭＳＩとを受信することができる。
【０１３３】
任意に、本発明の実施形態は更に、ステップ４０１〜ステップ４０４を有してよい。更に、ＭＭＥが端末のチャネル損失情報が保存されていると決定した場合、ＭＭＥは、ＭＭＥおよびｅＮｏｄｅＢのプロトコルレイヤのメッセージを用いて、端末のＩＭＳＩまたはＳ−ＴＭＳＩと端末のチャネル損失情報とをｅＮｏｄｅＢに送信してよい。この場合、ｅＮｏｄｅＢは、ＭＭＥによって送信された端末のＩＭＳＩまたはＳ−ＴＭＳＩと端末のチャネル損失情報とを受信することができる。
【０１３４】
５０２．アクセスネットワークノードが、端末のＩＭＳＩまたはＳ−ＴＭＳＩを、端末のチャネル損失情報に関連付けて保存する。
【０１３５】
ｅＮｏｄｅＢが端末によって送信されたＩＭＳＩまたはＳ−ＴＭＳＩと端末によって送信されたチャネル損失情報とを受信した後、または、ｅＮｏｄｅＢがＭＭＥによって送信された端末のＩＭＳＩまたはＳ−ＴＭＳＩとＭＭＥによって送信された端末のチャネル損失情報とを受信した後、または、ｅＮｏｄｅＢが端末によって送信されたチャネル損失情報とＭＭＥによって送信された端末のＳ−ＴＭＳＩとを受信した後、ｅＮｏｄｅＢは、受信された端末のＩＭＳＩまたはＳ−ＴＭＳＩを、端末のチャネル損失情報に関連付けて保存してよい。具体的な保存形式については、ステップ４０３においてＭＭＥが端末のＩＭＳＩまたはＳ−ＴＭＳＩと端末のチャネル損失情報とを保存する方式を参照することができる。本発明の本実施形態では詳細の説明を省略する。
【０１３６】
５０３．アクセスネットワークノードが、コアネットワークノードによって送信された第１のページングメッセージを受信する。
【０１３７】
システムが端末をページングする必要がある場合、は、該端末をサーブするＭＭＥは、トラッキング領域内の全てのｅＮｏｄｅＢに第１のページングメッセージを送信してよい。
【０１３８】
５０４．アクセスネットワークノードが、端末のＩＭＳＩまたはＳ−ＴＭＳＩに従って、端末のチャネル損失情報が保存されていると決定する。
【０１３９】
ｅＮｏｄｅＢがＭＭＥによって送信された第１のページングメッセージを受信した後、アクセスネットワークノードは、第１のページングメッセージに伝達される端末のＩＭＳＩまたはＳ−ＴＭＳＩに従って、端末のＩＭＳＩまたはＳ−ＴＭＳＩに対応するチャネル損失情報が保存されているか否かを決定してよく、端末のチャネル損失情報が保存されていると決定した後に、以下のステップ５０５〜ステップ５０６を実行してよい。
【０１４０】
５０５．アクセスネットワークノードが、端末のチャネル損失情報に従って伝送パラメータを決定する。
【０１４１】
ｅＮｏｄｅＢが第１のページングメッセージに伝達される端末のＩＭＳＩまたはＳ−ＴＭＳＩに対応するチャネル損失情報があると決定した場合、ｅＮｏｄｅＢは、端末のチャネル損失情報に従って伝送パラメータを決定してよい。
【０１４２】
５０６．アクセスネットワークノードが、伝送パラメータに従って、拡張カバレッジ型の制御情報および／または拡張カバレッジ型の第２のページングメッセージを端末に送信する。
【０１４３】
第１のページングメッセージは、ページングする必要のある端末の端末識別インデックス値を伝達する。この場合、ｅＮｏｄｅＢがＭＭＥによって送信された第１のページングメッセージを受信した後、また、ｅＮｏｄｅＢが端末のチャネル損失情報に従って伝送パラメータを決定した後、ｅＮｏｄｅＢは、端末識別インデックス値、伝送パラメータ、ページングフレームおよびページングオケージョンに従って、拡張カバレッジ型の制御情報および／または拡張カバレッジ型の第２のページングメッセージを端末に送信してよい。このように、端末は、端末のチャネル損失情報に従って決定された伝送パラメータに従って、拡張カバレッジ型の制御情報および／または拡張カバレッジ型の第２のページングメッセージを受信することができる。ｅＮｏｄｅＢが、ＭＭＥによって送信された第１のページングメッセージを受信した後に、第１のページングメッセージに伝達される端末のＩＭＳＩまたはＳ−ＴＭＳＩに対応するチャネル損失情報が利用不可であると決定した場合、ｅＮｏｄｅＢは、従来技術に従って、第２のページングメッセージの制御情報および／または第２のページングメッセージのみを送信してよい。
【０１４４】
留意すべきこととして、ステップ５０１〜ステップ５０６におけるパラメータの具体的な説明については、ステップ４０１〜ステップ４０７における対応するパラメータの具体的な説明を参照することができる。本発明の本実施形態では詳細の説明を省略する。
【０１４５】
本発明の実施形態において提供されるページング最適化方法によれば、端末をページングする必要がある場合、コアネットワークノードが第１のページングメッセージをアクセスネットワークノードに送信する。アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０１４６】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０１４７】
本発明の別の実施形態は、アクセスネットワークノードを提供する。図６に示すように、アクセスネットワークノードは、第１の受信ユニット６１および第１の送信ユニット６２を備える。
【０１４８】
第１の受信ユニット６１は、コアネットワークノードによって送信される第１のページングメッセージを受信するように構成される。第１のページングメッセージは、端末をページングするのに用いられる。
【０１４９】
第１の送信ユニット６２は、第１のページングメッセージに応答して、拡張カバレッジ型の制御情報および／または拡張カバレッジ型の第２のページングメッセージを端末に送信するように構成される。
【０１５０】
更に、第１のページングメッセージは、端末のチャネル損失情報を含む。
【０１５１】
アクセスネットワークノードは更に、第２の受信ユニット６３を備えてよい。
【０１５２】
第２の受信ユニット６３は、第１の送信ユニット６２が第１のページングメッセージに応答して拡張カバレッジ型の制御情報および／または拡張カバレッジ型の第２のページングメッセージを端末に送信する前に、コアネットワークノードによって送信される端末のチャネル損失情報を受信するように構成される。
【０１５３】
更に、アクセスネットワークノードは更に、第３の受信ユニット６４および第２の送信ユニット６５を備えてよい。
【０１５４】
第３の受信ユニット６４は、第１の受信ユニット６１がコアネットワークノードによって送信された第１のページングメッセージを受信する前に、端末によって送信されるチャネル損失情報を受信するように構成される。
【０１５５】
第２の送信ユニット６５は、第３の受信ユニット６４によって受信された端末のチャネル損失情報をコアネットワークノードに送信するように構成される。
【０１５６】
更に、アクセスネットワークノードは更に、第４の受信ユニット６６および記憶部６７を備えてよい。
【０１５７】
第４の受信ユニット６６は、端末によって送信される国際移動電話加入者識別番号（ＩＭＳＩ）または一時的移動電話加入者識別番号（Ｓ−ＴＭＳＩ）を受信し、端末によって送信されるチャネル損失情報を受信するか、または、コアネットワークノードによって送信される端末のＩＭＳＩまたはＳ−ＴＭＳＩを受信し、コアネットワークノードによって送信される端末のチャネル損失情報を受信するか、または、端末によって送信されるチャネル損失情報およびコアネットワークノードによって送信される端末のＳ−ＴＭＳＩを受信するように構成される。
【０１５８】
記憶部６７は、第４の受信ユニット６６によって受信された端末のＩＭＳＩまたはＳ−ＴＭＳＩを、端末のチャネル損失情報と関連付けて保存するように構成される。
【０１５９】
更に、アクセスネットワークノードは更に、決定ユニット６８を備えてよい。
【０１６０】
決定ユニット６８は、第１の送信ユニット６２が第１のページングメッセージに応答して拡張カバレッジ型の制御情報および／または拡張カバレッジ型の第２のページングメッセージを端末に送信する前に、端末のＩＭＳＩまたはＳ−ＴＭＳＩに従って、端末のチャネル損失情報が保存されていると決定するように構成される。
【０１６１】
更に、第１の送信ユニット６２は、決定モジュール６２１および送信モジュール６２２を有してよい。
【０１６２】
決定モジュール６２１は、端末のチャネル損失情報に従って伝送パラメータを決定するように構成される。
【０１６３】
送信モジュール６２２は、決定モジュールに６２１よって決定された伝送パラメータに従って、拡張カバレッジ型の制御情報および／または拡張カバレッジ型の第２のページングメッセージを端末に送信するように構成される。
【０１６４】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０１６５】
更に、伝送パラメータは、拡張カバレッジ型の制御情報および／または拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【０１６６】
更に、チャネル損失情報は、チャネル損失の値またはチャネル損失の値の範囲またはチャネル損失の値の範囲インデックスを含む。
【０１６７】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０１６８】
アクセスネットワークノードの別の機能および構造については、上述の方法実施形態を参照することができる。
【０１６９】
本発明の実施形態において提供されるアクセスネットワークノードによれば、端末をページングする必要がある場合、コアネットワークノードは第１のページングメッセージをアクセスネットワークノードに送信し、アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０１７０】
端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０１７１】
本発明の別の実施形態は、コアネットワークノードを提供する。図７に示されるように、コアネットワークノードは、決定ユニット７１、第１の送信ユニット７２または第２の送信ユニット７３を備える。
【０１７２】
決定ユニット７１は、端末の国際移動電話加入者識別番号（ＩＭＳＩ）または一時的移動電話加入者識別番号（Ｓ−ＴＭＳＩ）に従って、端末のチャネル損失情報が保存されていると決定するように構成される。
【０１７３】
第１の送信ユニット７２は、チャネル損失情報を伝達する第１のページングメッセージをアクセスネットワークノードに送信ように構成され、それにより、アクセスネットワークノードが、第１のページングメッセージに従って、拡張カバレッジ型の制御情報および／または拡張カバレッジ型の第２のページングメッセージを端末に送信できるようにする。
または、第２の送信ユニット７３は、第１のページングメッセージと端末のチャネル損失情報とをアクセスネットワークノードに送信するように構成され、それにより、アクセスネットワークノードが、第１のページングメッセージおよび端末のチャネル損失情報に従って、拡張カバレッジ型の制御情報および／または拡張カバレッジ型の第２のページングメッセージを端末に送信できるようにする。
【０１７４】
更に、図８に示されるように、コアネットワークノードは更に第３の送信ユニット７４を備えてよい。
【０１７５】
第３の送信ユニット７４は、端末のＩＭＳＩまたはＳ−ＴＭＳＩをアクセスネットワークノードに送信し、端末のチャネル損失情報をアクセスネットワークノードに送信するように構成され、それにより、アクセスネットワークデバイスが、端末のＩＭＳＩまたはＳ−ＴＭＳＩを、端末のチャネル損失情報に関連付けて保存できるようにする。
【０１７６】
更に、コアネットワークノードは更に、受信ユニット７５および記憶部７６を備えてよい。
【０１７７】
受信ユニット７５は、決定ユニット７１が端末の国際移動電話加入者識別番号（ＩＭＳＩ）または一時的移動電話加入者識別番号（Ｓ−ＴＭＳＩ）に従って端末のチャネル損失情報が保存されていると決定する前に、端末のチャネル損失情報を受信するように構成される。
【０１７８】
記憶部７６は、受信ユニット７５によって受信された端末のチャネル損失情報を、端末のＩＭＳＩまたはＳ−ＴＭＳＩに関連付けて保存するように構成される。
【０１７９】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０１８０】
更に、チャネル損失情報は、チャネル損失の値またはチャネル損失の値の範囲またはチャネル損失の値の範囲インデックスを含む。
【０１８１】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０１８２】
本発明の実施形態において提供されるコアネットワークノードによれば、端末をページングする必要がある場合、コアネットワークノードは第１のページングメッセージをアクセスネットワークノードに送信し、アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０１８３】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０１８４】
本発明の別の実施形態は、端末を提供する。図９に示されるように、端末は、第１の決定ユニット８１、送信・決定ユニット８２および受信ユニット８３を備える。
【０１８５】
第１の決定ユニット８１は、端末とアクセスネットワークノードとの間のチャネル損失情報を決定するように構成される。
【０１８６】
送信・決定ユニット８２は、チャネル損失情報をアクセスネットワークノードに送信し、国際移動電話加入者識別番号（ＩＭＳＩ）または一時的移動電話加入者識別番号（Ｓ−ＴＭＳＩ）をアクセスネットワークノードに送信し、チャネル損失情報に従って伝送パラメータを決定するように構成される。
【０１８７】
受信ユニット８３は、送信・決定ユニット８２によって決定された伝送パラメータに従って、アクセスネットワークノードによって送信された拡張カバレッジ型の制御情報および／または拡張カバレッジ型の第２のページングメッセージを受信するように構成される。
【０１８８】
更に、端末は更に第２の決定ユニット８４を備えてよい。
【０１８９】
第２の決定ユニット８４は、送信・決定ユニット８２がチャネル損失情報をアクセスネットワークノードに送信し、国際移動電話加入者識別番号（ＩＭＳＩ）または一時的移動電話加入者識別番号（Ｓ−ＴＭＳＩ）をアクセスネットワークノードに送信し、チャネル損失情報に従って伝送パラメータを決定する前に、チャネル損失情報が設定された条件を満たすと決定するように構成される。設定された条件は、チャネル損失の値が設定された閾値以上であることを含む。
【０１９０】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０１９１】
更に、伝送パラメータは、カバレッジ拡張型の制御情報および／または拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【０１９２】
更に、チャネル損失情報は、チャネル損失の値またはチャネル損失の値の範囲またはチャネル損失の値の範囲インデックスを含む。
【０１９３】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０１９４】
本発明の実施形態において提供される端末によれば、端末はチャネル損失情報をアクセスネットワークノードに送信し、ＩＭＳＩまたはＳ−ＴＭＳＩをアクセスネットワークノードに送信する。それにより、端末がページングされているときに、アクセスネットワークノードは拡張カバレッジ型の制御情報および／または拡張カバレッジ型の第２のページングメッセージを端末に送信することができ、端末は、チャネル損失情報に従って決定された伝送パラメータに従って、アクセスネットワークノードによって送信された拡張カバレッジ型の制御情報および／または前記拡張カバレッジ型の第２のページングメッセージを受信することができる。これにより、端末とアクセスネットワークノードとの間のチャネル損失が深刻である場合でも、端末がシステムによって送信されるページングメッセージを正常に受信できることが、効果的に保証される。
【０１９５】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０１９６】
本発明の別の実施形態は、アクセスネットワークノードを提供する。図１０に示されるように、アクセスネットワークノードは、少なくとも１つのプロセッサ９１、受信部９２および送信部９３を備える。
【０１９７】
受信部９２は、コアネットワークノードによって送信される第１のページングメッセージを受信するように構成される。第１のページングメッセージは、端末をページングするのに用いられる。
【０１９８】
プロセッサ９１は、受信部９２によって受信された第１のページングメッセージを処理し、送信部９３をトリガして第１のページングメッセージに応答させるように構成される。
【０１９９】
送信部９３は、第１のページングメッセージに応答して、拡張カバレッジ型の制御情報および／または拡張カバレッジ型の第２のページングメッセージを端末に送信するように構成される。
【０２００】
更に、第１のページングメッセージは、端末のチャネル損失情報を含む。または、
受信部９２は更に、送信部が第１のページングメッセージに応答して、拡張カバレッジ型の制御情報および／または拡張カバレッジ型の第２のページングメッセージを端末に送信する前に、コアネットワークノードによって送信される端末のチャネル損失情報を受信するように構成される。
【０２０１】
更に、受信部９２は更に、コアネットワークノードによって送信された第１のページングメッセージを受信する前に、端末によって送信されるチャネル損失情報を受信するように構成される。
【０２０２】
送信部９３は更に、端末のチャネル損失情報をコアネットワークノードに送信するように構成される。
【０２０３】
更に、アクセスネットワークノードは更にメモリ９４を備えてよい。
【０２０４】
受信部９２は更に、端末によって送信される国際移動電話加入者識別番号（ＩＭＳＩ）または一時的移動電話加入者識別番号（Ｓ−ＴＭＳＩ）を受信し、端末によって送信されるチャネル損失情報を受信するか、または、コアネットワークノードによって送信される端末のＩＭＳＩまたはＳ−ＴＭＳＩを受信し、コアネットワークノードによって送信される端末のチャネル損失情報を受信するか、または、端末によって送信されるチャネル損失情報およびコアネットワークノードによって送信される端末のＳ−ＴＭＳＩを受信するように構成される。
【０２０５】
メモリ９４は、端末のＩＭＳＩまたはＳ−ＴＭＳＩを、端末のチャネル損失情報に関連付けて保存するように構成される。
【０２０６】
更に、プロセッサ９１は更に、受信部９２によって受信された第１のページングメッセージを処理し送信部９３をトリガして第１のページングメッセージに応答させる前に、端末のＩＭＳＩまたはＳ−ＴＭＳＩに従って、端末のチャネル損失情報が保存されていると決定するように構成される。
【０２０７】
更に、プロセッサ９１は更に、端末のチャネル損失情報に従って伝送パラメータを決定するように構成される。
【０２０８】
送信部９３は更に、伝送パラメータに従って、拡張カバレッジ型の制御情報および／または拡張カバレッジ型の第２のページングメッセージを端末に送信するように構成される。
【０２０９】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０２１０】
更に、伝送パラメータは、拡張カバレッジ型の制御情報および／または拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【０２１１】
更に、チャネル損失情報は、チャネル損失の値またはチャネル損失の値の範囲またはチャネル損失の値の範囲インデックスを含む。
【０２１２】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０２１３】
本発明の実施形態において提供されるアクセスネットワークノードによれば、端末をページングする必要がある場合、コアネットワークノードは第１のページングメッセージをアクセスネットワークノードに送信し、アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０２１４】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０２１５】
本発明の別の実施形態は、コアネットワークノードを提供する。図１１に示されるように、コアネットワークノードは、少なくとも１つのプロセッサ１００１と送信部１００２とを備える。
【０２１６】
プロセッサ１００１は、端末の国際移動電話加入者識別番号（ＩＭＳＩ）または一時的移動電話加入者識別番号（Ｓ−ＴＭＳＩ）に従って、端末のチャネル損失情報が保存されていると決定するように構成される。
【０２１７】
送信部１００２は、チャネル損失情報を伝達する第１のページングメッセージをアクセスネットワークノードに送信するように構成され、それにより、アクセスネットワークノードが、第１のページングメッセージに従って、拡張カバレッジ型の制御情報および／または拡張カバレッジ型の第２のページングメッセージを前記端末に送信できるようにする。
または、送信部１００２は更に、第１のページングメッセージと端末のチャネル損失情報とをアクセスネットワークノードに送信するように構成され、それにより、アクセスネットワークノードが、第１のページングメッセージおよび端末のチャネル損失情報に従って、拡張カバレッジ型の制御情報および／または拡張カバレッジ型の第２のページングメッセージを端末に送信できるようにする。
【０２１８】
更に、送信部１００２は更に、端末のＩＭＳＩまたはＳ−ＴＭＳＩをアクセスネットワークノードに送信し、端末のチャネル損失情報をアクセスネットワークノードに送信するように構成され、それにより、アクセスネットワークノードが、端末のＩＭＳＩまたはＳ−ＴＭＳＩを端末のチャネル損失情報に関連付けて保存できるようにする。
【０２１９】
更に、コアネットワークノードは更に、受信部１００３およびメモリ１００４を備えてよい。
【０２２０】
受信部１００３は、端末の国際移動電話加入者識別番号（ＩＭＳＩ）または一時的移動電話加入者識別番号（Ｓ−ＴＭＳＩ）に従って端末のチャネル損失情報が保存されていると決定される前に、端末のチャネル損失情報を受信するように構成される。
【０２２１】
メモリ１００４は、端末のチャネル損失情報を、端末のＩＭＳＩまたはＳ−ＴＭＳＩに関連付けて保存するように構成される。
【０２２２】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０２２３】
更に、チャネル損失情報は、チャネル損失の値またはチャネル損失の値の範囲またはチャネル損失の値の範囲インデックスを含む。
【０２２４】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０２２５】
本発明の実施形態において提供されるコアネットワークノードによれば、端末をページングする必要がある場合、コアネットワークノードは第１のページングメッセージをアクセスネットワークノードに送信し、アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０２２６】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０２２７】
本発明の別の実施形態は、端末を提供する。図１２に示されるように、端末は、少なくとも１つのプロセッサ１１０１、受信部１１０２および送信部１１０３を備える。
【０２２８】
プロセッサ１１０１は、端末とアクセスネットワークノードとの間のチャネル損失情報を決定するように構成される。
【０２２９】
プロセッサ１１０１は更に、送信部１１０３をトリガして、チャネル損失情報をアクセスネットワークノードに送信させ、国際移動電話加入者識別番号（ＩＭＳＩ）または一時的移動電話加入者識別番号（Ｓ−ＴＭＳＩ）をアクセスネットワークノードに送信させるように構成され、更に、チャネル損失情報に従って伝送パラメータを決定するように構成される。
【０２３０】
受信部１１０２は、伝送パラメータに従って、アクセスネットワークノードによって送信された拡張カバレッジ型の制御情報および／または拡張カバレッジ型の第２のページングメッセージを受信するように構成される。
【０２３１】
更に、プロセッサ１１０１は更に、、チャネル損失情報をアクセスネットワークノードに送信し国際移動電話加入者識別番号（ＩＭＳＩ）または一時的移動電話加入者識別番号（Ｓ−ＴＭＳＩ）をアクセスネットワークノードに送信する前に、チャネル損失情報が設定された条件を満たすと決定するように構成される。設定された条件は、チャネル損失の値が設定された閾値以上であることを含む。
【０２３２】
更に、拡張カバレッジ型の制御情報は、以下の条件、すなわち、拡張カバレッジ型の制御情報の伝送では、非拡張カバレッジ型の制御情報の伝送よりも多くの時間領域リソースが占有されることと、拡張カバレッジ型の制御情報の伝送では、非拡張カバレッジ型の制御情報の伝送よりも多くの周波数リソースが占有されることと、拡張カバレッジ型の制御情報の伝送での伝送電力が非拡張カバレッジ型の制御情報の伝送での伝送電力よりも高いことと、拡張カバレッジ型の制御情報の伝送に用いられる変調方式が、非拡張カバレッジ型の制御情報の伝送に用いられる変調方式よりもロバストであることと、拡張カバレッジ型の制御情報の伝送に用いられる符号化方式が、非拡張カバレッジ型の制御情報の伝送に用いられる符号化方式よりもロバストであることと、拡張カバレッジ型の制御情報の伝送におけるビット数が、非拡張カバレッジ型の制御情報の伝送におけるビット数よりも少ないことと、のうち少なくとも１つを満たし、
拡張カバレッジ型の第２のページングメッセージは、以下の条件、すなわち、拡張カバレッジ型の第２のページングメッセージの伝送では、非拡張カバレッジ型の第２のページングメッセージの伝送よりも多くの時間領域リソースが占有されることと、拡張カバレッジ型の第２のページングメッセージの伝送では、非拡張カバレッジ型の第２のページングメッセージの伝送よりも多くの周波数リソースが占有されることと、拡張カバレッジ型の第２のページングメッセージの伝送での伝送電力が非拡張カバレッジ型の第２のページングメッセージの伝送での伝送電力よりも高いことと、拡張カバレッジ型の第２のページングメッセージの伝送に用いられる変調方式が、非拡張カバレッジ型の第２のページングメッセージの伝送に用いられる変調方式よりもロバストであることと、拡張カバレッジ型の第２のページングメッセージの伝送に用いられる符号化方式が、非拡張カバレッジ型の第２のページングメッセージの伝送に用いられる符号化方式よりもロバストであることと、拡張カバレッジ型の第２のページングメッセージの伝送におけるビット数が、非拡張カバレッジ型の第２のページングメッセージの伝送におけるビット数よりも少ないことと、のうち少なくとも１つを満たす。
【０２３３】
更に、伝送パラメータは、拡張カバレッジ型の制御情報および／または拡張カバレッジ型の第２のページングメッセージの伝送に用いられる開始フレーム番号、開始サブフレーム番号、開始タイムスロット番号、開始シンボル番号、１つ目のリソースブロック（ＲＢ）の番号、１つ目のサブキャリアの番号、フレーム数、サブフレーム数、タイムスロット数、シンボル数、ＲＢ数、サブキャリア数、繰り返し回数、拡散率、スペクトル拡散シーケンスインデックス、送信時間間隔バンドリング（TTI  bundling）のサイズ、アグリゲーションレベル、電力構成、変調符号化方式、周期、ページングフレーム（ＰＦ）およびページングオケージョン（ＰＯ）、のうち少なくとも１つを含む。
【０２３４】
更に、チャネル損失情報は、チャネル損失の値またはチャネル損失の値の範囲またはチャネル損失の値の範囲インデックスを含む。
【０２３５】
更に、チャネル損失は、参照信号受信電力（ＲＳＲＰ）、参照信号受信品質（ＲＳＲＱ）、パスロスおよびチャネル品質指示（ＣＱＩ）のうち少なくとも１つを含む。
【０２３６】
本発明の実施形態において提供される端末によれば、端末はチャネル損失情報をアクセスネットワークノードに送信し、ＩＭＳＩまたはＳ−ＴＭＳＩをアクセスネットワークノードに送信する。それにより、端末がページングされているときに、アクセスネットワークノードは拡張カバレッジ型の制御情報および／または拡張カバレッジ型の第２のページングメッセージを端末に送信することができ、端末は、チャネル損失情報に従って決定された伝送パラメータに従って、アクセスネットワークノードによって送信された拡張カバレッジ型の制御情報および／または拡張カバレッジ型の第２のページングメッセージを受信することができる。これにより、端末とアクセスネットワークノードとの間のチャネル損失が深刻である場合でも、端末がシステムによって送信されるページングメッセージを正常に受信できることが、効果的に保証される。
【０２３７】
更に、端末は、端末とアクセスネットワークノードとの間のチャネル損失情報を予めシステムに報告してよい。それにより、システムは端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０２３８】
本発明の別の実施形態は、ページング最適化システムを提供する。図１３に示されるように、ページング最適化システムは、アクセスネットワークノード１２０１、コアネットワークノード１２０２および端末１２０３を備える。
【０２３９】
アクセスネットワークノード１２０１は、コアネットワークノード１２０２によって送信される第１のページングメッセージを受信するように構成される。第１のページングメッセージは、端末１２０３をページングするのに用いられる。また、第１のページングメッセージに応答して、拡張カバレッジ型の制御情報および／または拡張カバレッジ型の第２のページングメッセージを端末１２０３に送信するように構成される。
【０２４０】
コアネットワークノード１２０２は、端末１２０３の国際移動電話加入者識別番号（ＩＭＳＩ）または一時的移動電話加入者識別番号（Ｓ−ＴＭＳＩ）に従って、端末１２０３のチャネル損失情報が保存されていると決定するように構成される。また、チャネル損失情報を伝達する第１のページングメッセージをアクセスネットワークノード１２０１に送信し、それにより、アクセスネットワークノード１２０１が、第１のページングメッセージに従って、拡張カバレッジ型の制御情報および／または拡張カバレッジ型の第２のページングメッセージを端末１２０３に送信できるようにするか、または、第１のページングメッセージと端末１２０３のチャネル損失情報とをアクセスネットワークノード１２０１に送信し、それにより、アクセスネットワークノード１２０１が、第１のページングメッセージおよび端末１２０３のチャネル損失情報に従って、拡張カバレッジ型の制御情報および／または拡張カバレッジ型の第２のページングメッセージを端末１２０３に送信できるようにする。
【０２４１】
端末１２０３は、チャネル損失情報をアクセスネットワークノード１２０１に送信し、国際移動電話加入者識別番号（ＩＭＳＩ）または一時的移動電話加入者識別番号（Ｓ−ＴＭＳＩ）をアクセスネットワークノード１２０１に送信するように構成され、チャネル損失情報に従って伝送パラメータを決定するように構成され、伝送パラメータに従って、アクセスネットワークノード１２０１によって送信された拡張カバレッジ型の制御情報および／または拡張カバレッジ型の第２のページングメッセージを受信するように構成される。
【０２４２】
本発明の実施形態において提供されるページング最適化システムによれば、端末をページングする必要がある場合、コアネットワークノードは第１のページングメッセージをアクセスネットワークノードに送信し、アクセスネットワークノードは、コアネットワークノードによって送信された第１のページングメッセージを受信した後、拡張カバレッジ型の制御情報および／または拡張カバレッジ型の第２のページングメッセージを、ページングする必要のある端末に送信する。これにより、端末とアクセスネットワークノードとの間のチャネル損失が深刻である場合でも、端末がシステムによって送信されるページングメッセージを正常に受信できることが、効果的に保証される。
【０２４３】
更に、端末は、端末とアクセスネットワークノードとの間のチャネル損失情報を予めシステムに報告してよい。それにより、システムは、端末のチャネル損失情報に従って端末の伝送パラメータを取得することができ、そして、端末の伝送パラメータに従って、拡張カバレッジ型の制御情報および／または拡張カバレッジ型のページングメッセージを送信することができ、ネットワークリソースが節約される。
【０２４４】
上述した実施方式の説明に基づいて、当該技術分野の当業者であれば、本発明が必要な汎用ハードウェアに加えてソフトウェアによって、またはハードウェアのみによって実施可能であることが明確に理解できるであろう。ほとんどの場合において、前者が好ましい実施方式である。そのような理解に基づき、本発明の技術的構成は本質的に、或いは、従来技術に寄与する部分は、ソフトウェア製品の形で実施されてよい。ソフトウェア製品は、コンピューターのフロッピーディスク、ハードディスク、光ディスク等の可読記憶媒体に保存され、また、コンピューター装置（パーソナルコンピューター、サーバーまたはネットワークデバイスであってよい）に本発明の実施形態に記載の方法を実行するように指示するいくつかの命令を含む。
【０２４５】
上述の説明は本発明の具体的な実施形態に過ぎず、本発明の保護範囲を限定する意図はない。当該技術分野の当業者が本発明に開示された技術的範囲内で容易に想到し得る変形または置換は全て、本発明の保護範囲に包含されるものとする。したがって、本発明の保護範囲は、特許請求の範囲の保護範囲に従うものとする。
【図１】
2019146240.tif 000006
【図２】
2019146240.tif 000007
【図３】
2019146240.tif 000008
【図４】
2019146240.tif 000009
【図５】
2019146240.tif 000010
【図６】
2019146240.tif 000011
【図７】
2019146240.tif 000012
【図８】
2019146240.tif 000013
【図９】
2019146240.tif 000014
【図１０】
2019146240.tif 000015
【図１１】
2019146240.tif 000016
【図１２】
2019146240.tif 000017
【図１３】
2019146240.tif 000018
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
装置によって、端末の国際移動電話加入者識別番号（ＩＭＳＩ）または一時的移動電話加入者識別番号（Ｓ−ＴＭＳＩ）に従って、前記端末のチャネル損失情報を決定するステップと、
前記装置によって、前記チャネル損失情報を伝達する第１のページングメッセージをアクセスネットワークノードに送信するステップであって、前記第１のページングメッセージは前記端末をページングするのに用いられる、ステップと、
を有する、ページング方法。
【請求項２】
更に、
前記装置によって、前記端末の前記チャネル損失情報を受信するステップと、
前記装置によって、前記端末の前記チャネル損失情報を保存するステップと、
を有する、請求項１に記載のページング方法。
【請求項３】
前記チャネル損失情報は伝送パラメータに関連付けられる、
請求項１または２に記載のページング方法。
【請求項４】
前記伝送パラメータは、前記端末への拡張カバレッジ型の制御情報および／または拡張カバレッジ型の第２のページングメッセージの伝送に用いられる、
請求項３に記載のページング方法。
【請求項５】
前記伝送パラメータは、前記端末への拡張カバレッジ型の制御情報および／または拡張カバレッジ型の第２のページングメッセージの伝送に用いられる繰り返し回数を含む、
請求項３または４に記載のページング方法。
【請求項６】
前記チャネル損失情報は、チャネル損失の値の範囲インデックスであり、前記伝送パラメータは、拡張カバレッジ型の制御情報によって用いられる繰り返し回数である、
請求項３乃至５のいずれか一項に記載のページング方法。
【請求項７】
前記チャネル損失情報は、チャネル損失の値の範囲インデックスを含む、
請求項１乃至６のいずれか一項に記載のページング方法。
【請求項８】
前記チャネル損失は、チャネル品質指示を含む、
請求項１乃至７のいずれか一項に記載のページング方法。
【請求項９】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項４または５に記載のページング方法。
【請求項１０】
請求項１乃至９のいずれか一項に記載の方法を実行するように適合された手段を有することを特徴とする装置。
【請求項１１】
前記装置は、コアネットワークノードである、請求項１０に記載の装置。
【請求項１２】
装置によって、コアネットワークノードから第１のページングメッセージを受信するステップであって、前記第１のページングメッセージは端末をページングするのに用いられ、前記第１のページングメッセージは前記端末のチャネル損失情報を含む、ステップと、
前記装置によって、前記第１のページングメッセージに応答して、拡張カバレッジ型の制御情報および／または拡張カバレッジ型の第２のページングメッセージを前記端末に送信するステップと、
を有する、ページング方法。
【請求項１３】
前記拡張カバレッジ型の制御情報は、前記拡張カバレッジ型の第２のページングメッセージをスケジュールするのに用いられる、
請求項１２に記載のページング方法。
【請求項１４】
前記チャネル損失情報は伝送パラメータに関連付けられる、
請求項１２または１３に記載のページング方法。
【請求項１５】
前記装置によって、前記第１のページングメッセージに応答して、拡張カバレッジ型の制御情報および／または拡張カバレッジ型の第２のページングメッセージを前記端末に送信するステップは、
前記伝送パラメータに従って、前記拡張カバレッジ型の制御情報および／または前記拡張カバレッジ型の第２のページングメッセージを前記端末に送信するステップ
を有する、請求項１４に記載のページング方法。
【請求項１６】
前記伝送パラメータは、前記端末への拡張カバレッジ型の制御情報および／または拡張カバレッジ型の第２のページングメッセージの伝送に用いられる繰り返し回数を含む、
請求項１４または１５に記載のページング方法。
【請求項１７】
前記チャネル損失情報は、チャネル損失の値の範囲インデックスであり、前記伝送パラメータは、前記拡張カバレッジ型の制御情報によって用いられる繰り返し回数である、
請求項１４乃至１６のいずれか一項に記載のページング方法。
【請求項１８】
前記チャネル損失情報は、チャネル損失の値の範囲インデックスを含む、
請求項１２乃至１７のいずれか一項に記載のページング方法。
【請求項１９】
前記チャネル損失は、チャネル品質指示を含む、
請求項１２乃至１８のいずれか一項に記載のページング方法。
【請求項２０】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項１２乃至１９のいずれか一項に記載のページング方法。
【請求項２１】
更に、
前記装置によって、前記端末からチャネル損失情報を受信するステップと、
前記装置によって、前記端末の前記チャネル損失情報を前記コアネットワークノードに送信するステップと、
を有する、請求項１２乃至２０のいずれか一項に記載のページング方法。
【請求項２２】
請求項１２乃至２１のいずれか一項に記載の方法を実行するように適合された手段を有することを特徴とする装置。
【請求項２３】
前記装置は、アクセスネットワークノードである、請求項２２に記載の装置。
【請求項２４】
命令を含むコンピューター可読記憶媒体であって、
前記命令が実行されると、請求項１乃至９のいずれか一項に記載の方法のステップが実行される、コンピューター可読記憶媒体。
【請求項２５】
命令を含むコンピューター可読記憶媒体であって、
前記命令が実行されると、請求項１２乃至２１のいずれか一項に記載の方法のステップが実行される、コンピューター可読記憶媒体。
【請求項２６】
請求項１０または１１に記載の装置と、請求項２２または２３に記載の装置とを有する通信システム。
【請求項２７】
コアネットワークノードによって、チャネル損失情報を伝達する第１のページングメッセージをアクセスネットワークノードに送信するステップであって、前記第１のページングメッセージは端末をページングするのに用いられる、ステップと、
前記アクセスネットワークノードによって、前記第１のページングメッセージに応答して、拡張カバレッジ型の制御情報および／または拡張カバレッジ型の第２のページングメッセージを前記端末に送信するステップと、
を有する、ページング方法。
【請求項２８】
更に、
前記コアネットワークノードによって、前記端末の国際移動電話加入者識別番号（ＩＭＳＩ）または一時的移動電話加入者識別番号（Ｓ−ＴＭＳＩ）に従って、前記端末のチャネル損失情報を決定するステップを有する、請求項２７に記載のページング方法。
【請求項２９】
更に、
前記コアネットワークノードによって、前記端末の前記チャネル損失情報を受信するステップと、
前記コアネットワークノードによって、前記端末の前記チャネル損失情報を保存するステップと、
を有する、請求項２７または２８に記載のページング方法。
【請求項３０】
前記チャネル損失情報は伝送パラメータに関連付けられる、
請求項２７乃至２９のいずれか一項に記載のページング方法。
【請求項３１】
前記アクセスネットワークノードによって、前記第１のページングメッセージに応答して、拡張カバレッジ型の制御情報および／または拡張カバレッジ型の第２のページングメッセージを前記端末に送信するステップは、
前記伝送パラメータに従って、前記拡張カバレッジ型の制御情報および／または前記拡張カバレッジ型の第２のページングメッセージを前記端末に送信するステップ
を有する、請求項３０に記載のページング方法。
【請求項３２】
前記伝送パラメータは、前記端末への拡張カバレッジ型の制御情報および／または拡張カバレッジ型の第２のページングメッセージの伝送に用いられる繰り返し回数を含む、
請求項３０または３１に記載のページング方法。
【請求項３３】
前記チャネル損失情報は、チャネル損失の値の範囲インデックスであり、前記伝送パラメータは、前記拡張カバレッジ型の制御情報によって用いられる繰り返し回数である、
請求項３０乃至３２のいずれか一項に記載のページング方法。
【請求項３４】
前記チャネル損失情報は、チャネル損失の値の範囲インデックスを含む、
請求項２７乃至３３のいずれか一項に記載のページング方法。
【請求項３５】
前記チャネル損失は、チャネル品質指示を含む、
請求項２７乃至３４のいずれか一項に記載のページング方法。
【請求項３６】
前記拡張カバレッジ型の制御情報は、以下の条件、すなわち、前記拡張カバレッジ型の制御情報の伝送では、非拡張カバレッジ型の制御情報の伝送よりも多くの時間領域リソースが占有されることと、前記拡張カバレッジ型の制御情報の伝送におけるビット数が、前記非拡張カバレッジ型の制御情報の伝送におけるビット数よりも少ないことと、のうち少なくとも１つを満たし、
前記拡張カバレッジ型の第２のページングメッセージは、以下の条件、すなわち、前記拡張カバレッジ型の第２のページングメッセージの伝送では、非拡張カバレッジ型の第２のページングメッセージの伝送よりも多くの時間領域リソースが占有されることと、前記拡張カバレッジ型の第２のページングメッセージの伝送におけるビット数が、前記非拡張カバレッジ型の第２のページングメッセージの伝送におけるビット数よりも少ないことと、のうち少なくとも１つを満たす、
請求項２７乃至３５のいずれか一項に記載のページング方法。
【外国語明細書】
2019146240000001.pdf